(57)【要約】【課題】  無線ＬＡＮ端末からＩＰ電話網を介して警察・消防などの緊急通報を行う場合において、無線ＬＡＮ端末の発信位置を特定する。【解決手段】本発明の緊急通報システムは、端末の第１の端末情報と端末の第１の位置情報を管理する第１の管理部（２１３）と、位置情報通知サーバから送信された第１の端末情報を受信して、位置情報通知サーバに第１の位置情報を送信する第１の処理部（２１４）とを備えた位置情報管理装置（２１１）と、第１の端末情報と位置情報管理装置の第１のアドレス情報を管理する第２の管理部（２２５）と、第１の装置から第１の端末情報を受信して、第１のアドレス情報に基づいて位置情報管理装置に第１の端末情報を送信し、位置情報管理装置から第１の位置情報を受信し、第１の装置に第１の位置情報を送信する第２の処理部（２２６）とを備える位置情報通知サーバ（２２２）とを備える。【選択図】      図２
2010098771.tif 000002
【特許請求の範囲】
【請求項１】
位置情報管理装置と位置情報通知装置と呼制御装置とを備える緊急通報システムにおいて、
前記位置情報管理装置は、端末が属する第１ネットワークに属し、
前記位置情報通知装置と、前記呼制御装置は、第２ネットワークに属し、
前記位置情報管理装置は、第１の管理部を備え、
前記第１の管理部は、前記端末の第１の端末情報と、第１の端末情報に対応した位置情報であり、前記端末の位置に対応した位置情報であり、複数の位置情報の中から選択された位置情報である前記端末の第１の端末位置情報を管理し、
前記位置情報通知装置は、第２の管理部を備え、
前記第２の管理部は、前記第１の端末情報と、前記位置情報管理装置の第１のアドレス情報を管理し、
前記呼制御装置は、
前記端末から、前記第１の端末情報と緊急通報を含む第１の信号を受信したとき、
前記位置情報通知装置に、前記第１の端末情報を送信し、
前記位置情報通知装置は、
前記呼制御装置から、前記第１の端末情報を受信して、
前記第１のアドレス情報に基づいて、前記位置情報管理装置に、前記第１の端末情報を送信し、
前記位置情報管理装置から、前記第１の端末情報に対応する前記第１の位置情報を受信し、
前記呼制御装置に、前記第１の位置情報を送信し、
前記呼制御装置は、
前記位置情報通知装置から、前記第１の位置情報を受信し、
前記第１ネットワークと異なるネットワークに属する複数の指令装置の中から選択された１つの指令装置であり、前記第１の位置情報に対応した１つの指令装置に発呼すること
を特徴とする緊急通報システム。
【請求項２】
請求項１に記載される緊急通報システムにおいて、
前記第１の信号は、前記第１の端末情報、前記緊急通報と、前記端末を識別するための第２の端末情報を含むとき、
前記位置情報通知装置は、
前記指令装置から、前記第２の端末情報を受信して、
前記呼制御装置に、前記第２の端末情報を送信し、
前記呼制御装置は、
前記位置情報通知装置から、前記第２の端末情報を受信して、
前記位置情報通知装置に、前記第１の端末情報を送信し、
前記位置情報通知装置は、
前記呼制御装置から、前記第１の端末情報を受信して、
前記第１のアドレス情報に基づいて、前記位置情報管理装置に、前記第１の端末情報を送信し、
前記位置情報管理装置から、前記第１の端末情報に対応する前記第１の位置情報を受信し、
前記指令装置に、前記第１の位置情報を送信すること
を特徴とする緊急通報システム。
【請求項３】
請求項１に記載される緊急通報システムにおいて、
前記第１の位置情報は、設置された端末の位置に基づいて登録されていること
を特徴とする緊急通報システム。
【請求項４】
請求項１に記載される緊急通報システムにおいて、
前記端末が無線端末であるとき、
前記第１の位置情報は、端末が接続可能である無線アクセスポイントから通知されること
を特徴とする緊急通報システム。
【請求項５】
請求項１に記載される緊急通報システムにおいて、
前記端末が無線端末であるとき、
前記第１の位置情報は、無線アクセスポイントの位置情報、または無線アクセスポイントに備えた位置情報測定機能により測定された位置情報を有すること
を特徴とする緊急通報システム。
【請求項６】
請求項１に記載される緊急通報システムにおいて、
前記端末が無線端末であるとき、
前記位置情報管理装置が前記第１の位置情報を登録するタイミングは、前記端末が無線アクセスポイントに接続したときとすること
を特徴とする緊急通報システム。
【請求項７】
請求項１に記載される緊急通報システムにおいて、
前記端末が無線端末であるとき、
前記位置情報管理装置が前記第１の位置情報を登録するタイミングは、前記端末が無線アクセスポイント間を移動し再接続したときとすること
を特徴とする緊急通報システム。
【請求項８】
請求項１に記載される緊急通報システムにおいて、
前記端末が無線端末であるとき、
前記位置情報管理装置が前記位置情報を削除するタイミングは、接続されていた無線アクセスポイントとの接続を終了したとき
を特徴とする緊急通報システム。
【請求項９】
位置情報管理装置と位置情報通知装置と呼制御装置とを備える緊急通報システムにおいて、
前記位置情報管理装置は、端末が属する第１ネットワークに属し、
前記位置情報通知装置と、前記呼制御装置は、第２ネットワークに属し、
前記位置情報管理装置は、第１の管理部を備え、
前記第１の管理部は、前記端末の第１の端末情報と、第１の端末情報に対応した位置情報であり、前記端末の位置に対応した位置情報であり、複数の位置情報の中から選択された位置情報である前記端末の第１の端末位置情報を管理し、
前記位置情報通知装置は、第２の管理部を備え、
前記第２の管理部は、前記第１の端末情報と、前記位置情報管理装置の第１のアドレス情報を管理する
緊急通報方法において、
前記呼制御装置は、
前記端末から、前記第１の端末情報と緊急通報を含む第１の信号を受信したとき、
前記位置情報通知装置に、前記第１の端末情報を送信する第１処理ステップを有し、
前記位置情報通知装置は、
前記呼制御装置から、前記第１の端末情報を受信して、
前記第１のアドレス情報に基づいて、前記位置情報管理装置に、前記第１の端末情報を送信し、
前記位置情報管理装置から、前記第１の端末情報に対応する前記第１の位置情報を受信し、
前記呼制御装置に、前記第１の位置情報を送信する第２処理ステップを有し、
前記呼制御装置は、
前記位置情報通知装置から、前記第１の位置情報を受信し、
前記第１ネットワークと異なるネットワークに属する複数の指令装置の中から選択された１つの指令装置であり、前記第１の位置情報に対応した１つの指令装置に発呼する第３処理ステップを有すること
を特徴とする緊急通報方法。
【請求項１０】
請求項９に記載される緊急通報方法において、
前記第１の信号は、前記第１の端末情報、前記緊急通報と、前記端末を識別するための第２の端末情報を含むとき、
前記位置情報通知装置は、
前記指令装置から、前記第２の端末情報を受信して、
前記呼制御装置に、前記第２の端末情報を送信する第４処理ステップを有し、
前記呼制御装置は、
前記呼制御装置から、前記第２の端末情報を受信して、
前記位置情報通知装置に、前記第１の端末情報を送信する第５処理ステップを有し、
前記位置情報通知装置は、
前記呼制御装置から、前記第１の端末情報を受信して、
前記第１のアドレス情報に基づいて、前記位置情報管理装置に、前記第１の端末情報を送信し、
前記位置情報管理装置から、前記第１の端末情報に対応する前記第１の位置情報を受信し、
前記指令装置に、前記第１の位置情報を送信する第６処理ステップを有すること
を特徴とする緊急通報方法。
【請求項１１】
請求項９に記載される緊急通報方法において、
前記第１の位置情報は、設置された端末の位置に基づいて登録されていること
を特徴とする緊急通報方法。
【請求項１２】
請求項９に記載される緊急通報方法において、
前記端末が無線端末であるとき、
前記第１の位置情報は、端末が接続可能である無線アクセスポイントから通知されること
を特徴とする緊急通報方法。
【請求項１３】
請求項９に記載される緊急通報方法において、
前記端末が無線端末であるとき、
前記第１の位置情報は、無線アクセスポイントの位置情報、または無線アクセスポイントに備えた位置情報測定機能により測定された位置情報を有すること
を特徴とする緊急通報方法。
【請求項１４】
請求項９に記載される緊急通報方法において、
前記端末が無線端末であるとき、
前記位置情報管理装置が前記第１の位置情報を登録するタイミングは、前記端末が無線アクセスポイントに接続したときとすること
を特徴とする緊急通報方法。
【請求項１５】
請求項９に記載される緊急通報方法において、
前記端末が無線端末であるとき、
前記位置情報管理装置が前記第１の位置情報を登録するタイミングは、前記端末が無線アクセスポイント間を移動し再接続したときとすること
を特徴とする緊急通報方法。
【請求項１６】
請求項９に記載される緊急通報方法において、
前記端末が無線端末であるとき、
前記位置情報管理装置が前記位置情報を削除するタイミングは、接続されていた無線アクセスポイントとの接続を終了したとき
を特徴とする緊急通報方法。
【発明の詳細な説明】
【技術分野】
【０００１】
本発明は、端末から警察・消防などの緊急通報を行う場合において、端末の位置を特定する緊急通報システム／緊急通報方法に関するものである。
【背景技術】
【０００２】
従来の公衆電話交換網（ＰＳＴＮ）での電話サービスから、インターネット等のＩＰネットワーク上で電話サービスを提供するＩＰ（Ｉｎｔｅｒｎｅｔ  Ｐｒｏｔｏｃｏｌ）電話サービスが拡大しており、無線ＬＡＮ上の端末からＩＰ電話を行う無線ＩＰ電話サービスも登場し始めている。電話サービスは、日常生活での情報伝達手段としてだけでなく、社会インフラとして緊急通報などのライフラインサービスの提供が要求される。非特許文献１では、緊急通報の基本機能の一つとして通報者の位置情報の管理通知機能を挙げている。通報者の位置情報は、通報場所を管轄する本部の指令台への接続や、警官等が現場へかけつけるため通報者の位置特定を行うために必要となる。
【０００３】
図１は、非特許文献１に記述されている、ＩＰ電話端末の位置が固定の場合の緊急通報システムでの位置情報管理方式について説明する図である。ＩＰ電話サービス事業者等が提供するVoＩＰネットワークにある加入者情報データベース（１２３）には加入者の電話番号と住所情報が登録されており、接続先情報データベース（１２４）には住所情報とその住所を管轄する警察等の緊急通報受理機関の電話番号が登録されている。ＩＰ電話端末（１１１）から１１０番等の緊急通報を行うと、呼制御サーバ（１２１）は加入者情報データベース（１２３）から通報者の住所情報を取得し、接続先情報データベース（１２４）から管轄の緊急通報受理機関の電話番号を取得し、指令台端末（１３１）に接続する。緊急通報受理機関が通報者の位置情報を取得したい場合は、通報者の電話番号を含むメッセージにより、位置情報受理装置（１３２）から位置情報通知サーバ（１２２）に問い合わせを行う。位置情報通知サーバ（１２２）は、加入者情報データベース（１２３）から住所情報を検索し位置情報受信装置に返す。以上のような仕組みにより、緊急通報システムに要求される位置情報管理を実現することができる。
【先行技術文献】
【非特許文献】
【０００４】
【非特許文献１】総務省情報通信緊急審議会情報通信技術分科会緊急通報機能等高度化委員会ＩＰ電話作業班、「ＩＰネットワークにおける緊急通報等重要通信の確保方策中間報告＜概要＞」、平成１６年９月２２日発行。
【発明の概要】
【発明が解決しようとする課題】
【０００５】
しかしながら、上記従来技術では、固定ＩＰ電話端末の場合での位置情報管理の仕組みを提供しているが、固定ＩＰ電話端末は、例えば設定されるＩＰアドレスを変更することにより移設が可能であるが、この移設毎に加入者情報データベース（１２３）の住所情報を変更することは、難しいという課題がある。また、上記従来技術では、固定ＩＰ電話端末の場合での位置情報管理の仕組みを提供しているが、無線ＩＰ電話端末を考えた場合には、端末が自由に移動できるため、通報者の位置が固定でなく事前の登録情報を利用する位置情報管理方式が適応できないという課題がある。また、移動端末での端末位置の特定については、携帯電話網で実現されているＧｌｏｂａｌ  Ｐｏｓｉｔｉｏｎｉｎｇ  Ｓｙｓｔｅｍ（以下、ＧＰＳと記載する）機能を利用した方式があるが、携帯電話網がない地下街では利用できない、建物内での階数等の高さの違いを識別できない、などの課題がある。さらに、無線ＩＰ電話端末の場合は、携帯電話との共用タイプの端末の他に、ノートＰＣ等でソフト機能により実現されるソフトフォンなど様々な端末形態が考えられ、全ての端末にＧＰＳ機能が搭載されることを期待することが難しいという課題もある。
【課題を解決するための手段】
【０００６】
かかる課題を解決するため、第１の本発明による緊急通報システムは、位置情報管理装置と位置情報通知装置と呼制御装置とを備え、位置情報管理装置は、端末が属する第１ネットワークに属し、位置情報通知装置と、呼制御装置は、第２ネットワークに属し、位置情報管理装置は、第１の管理部を備え、第１の管理部は、端末の第１の端末情報と、第１の端末情報に対応した位置情報であり、端末の位置に対応した位置情報であり、複数の位置情報の中から選択された位置情報である端末の第１の端末位置情報を管理し、位置情報通知装置は、第２の管理部を備え、第２の管理部は、第１の端末情報と、位置情報管理装置の第１のアドレス情報を管理し、呼制御装置は、端末から、第１の端末情報と緊急通報を含む第１の信号を受信したとき、位置情報通知装置に、第１の端末情報を送信し、位置情報通知装置は、呼制御装置から、第１の端末情報を受信して、第１のアドレス情報に基づいて、位置情報管理装置に、第１の端末情報を送信し、位置情報管理装置から、第１の端末情報に対応する第１の位置情報を受信し、呼制御装置に、第１の位置情報を送信し、呼制御装置は、位置情報通知装置から、第１の位置情報を受信し、第１ネットワークと異なるネットワークに属する複数の指令装置の中から選択された１つの指令装置であり、第１の位置情報に対応した１つの指令装置に発呼することを特徴とする。
【０００７】
かかる課題を解決するため、第２の本発明による緊急通報方法は、位置情報管理装置と位置情報通知装置と呼制御装置とを備え、位置情報管理装置は、端末が属する第１ネットワークに属し、位置情報通知装置と、呼制御装置は、第２ネットワークに属し、位置情報管理装置は、第１の管理部を備え、第１の管理部は、端末の第１の端末情報と、第１の端末情報に対応した位置情報であり、端末の位置に対応した位置情報であり、複数の位置情報の中から選択された位置情報である端末の第１の端末位置情報を管理し、位置情報通知装置は、第２の管理部を備え、第２の管理部は、第１の端末情報と、位置情報管理装置の第１のアドレス情報を管理し、呼制御装置は、端末から、第１の端末情報と緊急通報を含む第１の信号を受信したとき、位置情報通知装置に、第１の端末情報を送信する第１処理ステップを有し、位置情報通知装置は、呼制御装置から、第１の端末情報を受信して、第１のアドレス情報に基づいて、位置情報管理装置に、第１の端末情報を送信し、位置情報管理装置から、第１の端末情報に対応する第１の位置情報を受信し、呼制御装置に、第１の位置情報を送信する第２処理ステップを有し、呼制御装置は、位置情報通知装置から、第１の位置情報を受信し、第１ネットワークと異なるネットワークに属する複数の指令装置の中から選択された１つの指令装置であり、第１の位置情報に対応した１つの指令装置に発呼する第３処理ステップを有することを特徴とする。
【発明の効果】
【０００８】
本発明によれば、第１の位置情報に対応した最寄りの位置に存在する適切な管轄である指令装置に緊急通報の発呼を行うことができるので、緊急要員を第１の位置情報に基づいた場所に速く到着できるように、適切な指令装置に緊急通報を行うことができる。
【図面の簡単な説明】
【０００９】
【図１】本発明の従来技術の構成を説明するための図である。
【図２】本発明の第１の実施形態の構成を説明するための図である。
【図３】本発明の第１の実施形態の動作を説明するための図である。
【図４】本発明の第２の実施形態の構成を説明するための図である。
【図５】本発明の第２の実施形態の動作を説明するための図である。
【図６】本発明の第３の実施形態の構成を説明するための図である。
【図７】本発明の第３の実施形態の動作を説明するための図である。
【図８】本発明の第４の実施形態の構成を説明するための図である。
【図９】本発明の第４の実施形態の動作を説明するための図である。
【発明を実施するための形態】
【００１０】
（Ａ）第１の実施形態
以下、本発明の一実施例を図面を参照しながら詳述する。図２は、本発明の緊急通報システムの全体の構成図である。
【００１１】
（Ａ−１）第１の実施形態の構成
アクセスネットワーク（２０１）は、ＩＰ電話端末（２１１）、位置情報管理サーバ（２１２）を備える。アクセスネットワーク（２０１）は、ＩＰ電話端末（２１１）以外に複数のＩＰ電話端末を接続することは可能であるが、図２では省略する。また、アクセスネットワークは、アクセスネットワーク（２０１）以外に存在してもよいが、図２では省略する。
【００１２】
ＩＰ電話端末（２１１）は、ＩＰ電話端末（１１１）［図１］と基本的に同様な構成を有する。
【００１３】
位置情報管理サーバ（２１２）は、ＩＰ電話端末（２１１）の第１の位置情報を、ＩＰ電話端末（２１１）の第１の端末情報に対応させて管理する。ＩＰ電話端末（２１１）における第１の端末情報の一例は、ＩＰ電話端末（２１１）のＩＰアドレスや、ＩＰ電話端末（２１１）を保有するユーザのＳｅｓｓｉｏｎ  Ｉｎｉｔｉａｔｉｏｎ  Ｐｒｏｔｏｃｏｌ −  Ｕｎｉｆｏｒｍ  Ｒｅｓｏｕｒｃｅ  Ｉｄｅｎｔｉｆｉｅｒ（以下、ＳＩＰ−ＵＲＩと記載する。ＳＩＰは例えばＲＦＣ３２６１で規定されるプロトコルで、ＳＩＰ−ＵＲＩの表記の仕方の一例は、ドメイン名部分とローカル部分から構成される）である。位置情報管理サーバ（２１２）は、同様にＩＰ電話端末（２１１）以外のＩＰ電話端末も管理し、他の各ＩＰ電話端末の位置情報を、他の各ＩＰ電話端末の端末情報に対応させて管理する。
【００１４】
位置情報管理サーバ（２１２）は、ＩＰ電話端末（２１１）の第１の端末情報とＩＰ電話端末（２１１）の第１の位置情報を管理する第１の管理部（２１３）と、後述される位置情報通知サーバ（２２２）から送信された第１の端末情報を受信して、位置情報通知サーバ（２２２）に第１の位置情報を送信する第１の処理部（２１４）とを備える。第１の位置情報は、設置されたＩＰ電話端末（２１１）の位置、移設されたＩＰ電話端末（２１１）の位置などに基づいて登録され、第１の端末情報と対応させて管理される。第１の管理部（２１３）は、同様にＩＰ電話端末（２１１）以外のＩＰ電話端末に関しても管理する。第１の処理部（２１４）は、同様にＩＰ電話端末（２１１）以外のＩＰ電話端末に関しても処理する。
【００１５】
位置情報管理サーバ（２１２）は、企業やＬＡＮ（Ｌｏｃａｌ  Ａｒｅａ  Ｎｅｔｗｏｒｋ）サービス事業者などのＬＡＮアクセスネットワークの運用管理者が管理する。運用形態により、位置情報通知サーバ（２２２）と同じネットワークに設置される場合もあるし、ＮＡＴ（Ｎｅｔｗｏｒｋ  Ａｄｄｒｅｓｓ  Ｔｒａｎｓｌａｔｉｏｎ）機能やファイヤーウォール機能などにより分けられた別々のネットワークに設置される場合もある。
【００１６】
ＶｏＩＰ（Ｖｏｉｃｅ  ｏｖｅｒ  Ｉｎｔｅｒｎｅｔ  Ｐｒｏｔｏｃｏｌ）ネットワーク（２０２）は、呼制御サーバ（２２１）、位置情報通知サーバ（２２２）、加入者情報データベース（２２３）、接続先情報データベース（２２４）を備える。
【００１７】
呼制御サーバ（２２１）は、呼制御サーバ（１２１）［図１］と基本的に同様な構成を有し、ＩＰ電話端末（２１１）と緊急通報受理機関（指令装置）（２０３）との呼接続の制御を行う。呼制御サーバ（２２１）の更なる構成は、後述される。また、呼制御サーバ（２２１）は、同様に、ＩＰ電話端末（２１１）と他の緊急通報受理機関（指令装置）との呼接続の制御、他のＩＰ電話端末と緊急通報受理機関（指令装置）（２０３）との呼接続の制御などを行う。
【００１８】
加入者情報データベース（２２３）は、加入者情報データベース（１２３）［図１］と基本的に同様な構成を有する。加入者情報データベース（２２３）は、ＩＰ電話端末（２１１）の第１の端末情報であるＩＰ電話端末（２１１）におけるＩＰアドレスや、ＳＩＰ−ＵＲＩなどが管理され、データベースとして登録されている。加入者情報データベース（２２３）は、同様に、ＩＰ電話端末（２１１）の以外のＩＰ電話端末に関しても管理され、データベースとして登録されている。
【００１９】
接続先情報データベース（２２４）は、接続先情報データベース（１２４）［図１］と基本的に同様な構成を有する。接続先情報データベース（２２４）は、指令装置（２０３）の第２の位置情報と、第１の装置情報であり後述される指令装置（２０３）に係るＩＰアドレスや、ＳＩＰ−ＵＲＩなどが管理され、データベースとして登録されている。ここで、第２の位置情報は、例えば指令装置が管轄する地域（エリア）を特定する位置情報などである。またオプションとして、第２の位置情報は、例えば指令装置の位置情報などである。接続先情報データベース（２２４）は、同様に指令装置（２０３）以外の指令装置に関しても管理され、データベースとして登録されている。また、接続先情報データベース（２２４）は、同様に他の指令装置の位置情報と、他の指令装置の装置情報であり他の指令装置に係るＩＰアドレスや、ＳＩＰ−ＵＲＩなどが管理され、データベースとして登録されている。
【００２０】
接続先情報データベース（２２４）は、呼制御サーバ（２２１）から送信された第１の位置情報を受信して、第１の位置情報が指令装置（２０３）で管轄する地域（エリア）となる第２の位置を検索し、この第２の位置に対応する第１の装置情報を送信する。またオプションとして、接続先情報データベース（２２４）は、呼制御サーバ（２２１）から送信された第１の位置情報を受信して、第１の位置情報に距離的に最も近い、到達時間が最も短いなどに対応した最寄の位置となる第２の位置を検索し、この第２の位置に対応する第１の装置情報を送信してもよい。また、接続先情報データベース（２２４）は、同様に呼制御サーバ（２２１）から送信された他の位置情報を受信して、他の位置情報が他の指令装置で管轄する地域（エリア）となる位置を検索し、この位置に対応する装置情報を送信する。
【００２１】
位置情報通知サーバ（２２２）は、第１の端末情報（例えば、ＩＰ電話端末（２１１）のＩＰアドレス、ＳＩＰ−ＵＲＩ等）と位置情報管理サーバ（２１２）の第１のアドレス情報（例えば、位置情報管理サーバ（２１２）のＩＰアドレス等）を管理する第２の管理部（２２５）と、指令装置（２０３）（位置情報受信装置（２３２））から第１の端末情報（例えば、ＩＰ電話端末（２１１）のＩＰアドレス、ＳＩＰ−ＵＲＩ等）を受信して、第１のアドレス情報（例えば、位置情報管理サーバ（２１２）のＩＰアドレス等）に基づいて位置情報管理サーバ（２１２）に第１の端末情報を送信し、位置情報管理サーバ（２１２）から第１の位置情報を受信し、指令装置（２０３）（位置情報受信装置（２３２））に第１の位置情報を送信する第２の処理部（２２６）とを備える。また、第２の管理部（２２５）は、同様に他の端末情報と位置情報管理サーバのアドレス情報を管理する。また、第２の処理部（２２６）は、同様に指令装置（２０３）から他の端末情報を受信して、この他の端末情報に応じて処理し、第２の処理部（２２６）は、同様に他の指令装置から端末情報を受信して、この端末情報に応じて処理をする。なお、第２の管理部（２２５）において、第１の端末情報、他の端末情報、第１のアドレス情報などは、例えば位置情報管理サーバ（２１２）を介して登録される。
【００２２】
位置情報通知サーバ（２２２）は、また、呼制御サーバ（２２１）から第１の端末情報に対応するＩＰ電話端末（２１１）の位置が要求された場合に、位置情報管理サーバ（２１２）からＩＰ電話端末（２１１）の第１の位置情報を取得して返信する機能を持つ。第２の処理部（２２６）は、呼制御サーバ（２２１）から第１の端末情報（例えば、ＩＰ電話端末（２１１）のＩＰアドレス、ＳＩＰ−ＵＲＩ等）を受信して、第１のアドレス情報（例えば、位置情報管理サーバ（２１２）のＩＰアドレス等）に基づいて位置情報管理サーバ（２１２）に第１の端末情報を送信し、位置情報管理サーバ（２１２）から第１の位置情報を受信し、呼制御サーバ（２２１）に第１の位置情報を送信する。また、位置情報通知サーバ（２２２）は、同様に呼制御サーバ（２２１）から他の端末情報に対応する他のＩＰ電話端末の位置が要求された場合に、位置情報管理サーバ（２１２）から他のＩＰ電話端末の位置情報を取得して返信する機能を持つ。第２の処理部（２２６）は、呼制御サーバ（２２１）から他の端末情報を受信して、他のアドレス情報に基づいて位置情報管理サーバに他の端末情報を送信し、他のアドレス情報に基づいた位置情報管理サーバから位置情報を受信し、呼制御サーバ（２２１）にこの位置情報を送信する。
【００２３】
また、呼制御サーバ（２２１）は、ＩＰ電話端末（２１１）が送信した第１の端末情報（例えば、ＩＰ電話端末（２１１）のＩＰアドレス、ＳＩＰ−ＵＲＩ等）を含む第１の信号を受信する。呼制御サーバ（２２１）は、第１の信号の接続先の情報が指令装置（２０３）に係る第１の装置情報（指令装置（２０３）に係るＩＰアドレス、ＳＩＰ−ＵＲＩ等）などにより緊急通報であると判断したとき、位置情報通知サーバ（２２２）に対して位置情報管理サーバ（２１２）の第１の端末情報を送信する。また、呼制御サーバ（２２１）は、同様に、他のＩＰ電話端末が送信した他の端末情報を含む他の信号を受信する。呼制御サーバ（２２１）は、他の信号の接続先の情報が指令装置に係る装置情報などにより緊急通報であると判断したとき、位置情報通知サーバ（２２２）に対して他の端末情報を送信する。
【００２４】
呼制御サーバ（２２１）は、位置情報通知サーバ（２２２）が送信したＩＰ電話端末（２１１）の第１の位置情報を受信し、接続先情報データベース（２２４）に対して、第１の位置情報を送信する。呼制御サーバ（２２１）は、接続先情報データベース（２２４）が送信した第１の装置情報を受信して、第１の装置情報に基づいて、ＩＰ電話端末（２１１）の管轄（最寄の位置）となる指令装置（２０３）に対して発呼する。また、呼制御サーバ（２２１）は、同様に、位置情報通知サーバ（２２２）が送信した他のＩＰ電話端末の位置情報を受信し、接続先情報データベース（２２４）に対して、他の位置情報を送信する。呼制御サーバ（２２１）は、同様に、接続先情報データベース（２２４）が送信した装置情報を受信して、この装置情報に基づいて、他のＩＰ電話端末の管轄（最寄の位置）となる指令装置に対して発呼する。
【００２５】
緊急通報受理機関（指令装置）（２０３）は、緊急通報受理機関（指令装置）（１０３）［図１］と基本的に同様な構成を有する。緊急通報受理機関（指令装置）（２０３）は、指令台端末（２３１）、位置情報受理装置（２３２）を備える。緊急通報受理機関（指令装置）（２０３）は、指令台端末（２３１）以外に、複数の指令台端末を設置することは可能であるが、図２では省略する。緊急通報受理機関（指令装置）（２０３）は、位置情報受理装置（２３２）以外に、複数の位置情報受理装置を設置することは可能であるが、図２では省略する。また、緊急通報受理機関（指令装置）は、緊急通報受理機関（指令装置）（２０３）以外に存在してもよいが、図２では省略する。
【００２６】
指令台端末（２３１）は、指令台端末（１３１）［図１］と基本的に同様な構成を有し、ＩＰ電話端末（２１１）との緊急通報の受信、ＩＰ電話端末（２１１）への逆信を行う。位置情報受理装置（２３２）は、位置情報受理装置（１３２）［図１］と基本的に同様な構成を有し、ＩＰ電話端末（２１１）の第１の位置情報の取得、取得したＩＰ電話端末（２１１）の第１の位置情報を地図上に表示させる機能などを備える。また、指令台端末（２３１）は、同様に、他のＩＰ電話端末との緊急通報の受信、他のＩＰ電話端末への逆信を行う。位置情報受理装置（２３２）は、他のＩＰ電話端末の位置情報の取得、取得した他のＩＰ電話端末の位置情報を地図上に表示させる機能などを備える。
【００２７】
（Ａ−２）第１の実施形態の動作
図２と図３を用いて、本実施形態の構成１における動作を説明する。
【００２８】
図２において、ＩＰ電話端末（２１１）が緊急通報を行うと［ステップ：Ｓ１１［図３］］、呼制御サーバ（２２１）は、位置情報通知サーバ（２２２）に通報者であるＩＰ電話端末（２１１）の第１の端末情報（例えば、ＩＰ電話端末（２１１）のＩＰアドレス、ＳＩＰ−ＵＲＩ等）を含むメッセージにより、通報者であるＩＰ電話端末（２１１）の位置情報を要求する［ステップ：Ｓ１２［図３］］。
【００２９】
位置情報通知サーバ（２２２）は、ＩＰ電話端末（２１１）の第１の端末情報と位置情報管理サーバ（２１２）の第１のアドレス情報があらかじめ対応付けされた形で登録されていて、ＩＰ電話端末（２１１）の第１の端末情報から位置情報管理サーバ（２１２）の第１のアドレス情報を特定し、上記第１の端末情報を含むメッセージにより通報者であるＩＰ電話端末（２１１）の位置情報を要求する［ステップ：Ｓ１３［図３］］。
【００３０】
位置情報管理サーバ（２１２）は、上記方式により管理しているＩＰ電話端末（２１１）の第１の端末情報を検索し、要求された第１の端末情報に対応するＩＰ電話端末（２１１）の第１の位置情報を返信する［ステップ：Ｓ１４［図３］］。
【００３１】
位置情報通知サーバ（２２２）は、取得した第１の位置情報を呼制御サーバ（２２１）に返信し［ステップ：Ｓ１５［図３］］、呼制御サーバ（２２１）は、接続先情報データベース（２１４）から第１の位置情報に対応する指令装置（２０３）における指令台端末（２３１）の第１の装置情報（例えば、指令装置（２０３）の指令台端末（２３１）のＩＰアドレス、ＳＩＰ−ＵＲＩ等）を取得する。
【００３２】
呼制御サーバ（２２１）は、指令装置（２０３）に対して緊急通報の接続要求を行い［ステップ：Ｓ１６［図３］］、ＩＰ電話端末（２１１）と指令装置（２０３）との間の呼接続を実行する［ステップ：Ｓ１７［図３］］。
【００３３】
また、指令装置（２０３）で通報者であるＩＰ電話端末（２１１）の位置情報を確認したい場合は、位置情報受信装置（２３２）から、ＩＰ電話端末（２１１）の第１の端末情報を含むメッセージにより、位置情報通知サーバ（２２２）に通報者であるＩＰ電話端末（２１１）の第１の位置情報を要求する［ステップ：Ｓ２１［図３］］。この場合は、位置情報通知サーバ（２２２）は、上記ステップ：Ｓ１３、ステップ：Ｓ１４と同様に位置情報管理サーバ（２１２）に問い合わせてＩＰ電話端末（２１１）の第１の位置情報を要求し［ステップ：Ｓ２２［図３］］、位置情報管理サーバ（２１２）は、通報者であるＩＰ電話端末（２１１）の第１の位置情報を返信し［ステップ：Ｓ２３［図３］］、位置情報通知サーバ（２２２）は、取得したこの第１の位置情報を位置情報受信装置（２３２）に返信する［ステップ：Ｓ２４［図３］］。
【００３４】
なお、指令装置（２０３）から通報者であるＩＰ電話端末（２１１）の第１の位置情報を要求する時に、位置情報受信装置（２３２）にＩＰ電話端末（２１１）の第１の端末情報を入力する方式については、オペレータが指令台端末（２３１）のＧｒａｐｈｉｃａｌ  Ｕｓｅｒ  Ｉｎｔｅｒｆａｃｅ（以下、ＧＵＩと記載する）等で確認し入力する方式や、指令台端末（２３１）から自動的に取得する方式などを用いる。
【００３５】
なお、上記において、位置情報管理サーバ（２１２）が、ＮＡＴ機能などにより分けられた別々のネットワークに設置される場合、ＩＰ電話端末（２１１）は、ＶｏＩＰネットワーク（２０２）に対して送信／受信するときにグローバルＩＰアドレスを用いる。それゆえ、この場合は、ＩＰ電話端末（２１１）の第１の端末情報としてグローバルＩＰアドレスを用いても良い。
【００３６】
（Ａ−３）第１の実施形態の効果
第１の実施形態の発明の効果としては、ＩＰ電話端末の位置情報を取得し、指令装置を備える管轄の緊急通報受理機関（指令装置）からの端末の位置情報の問い合わせに応答する仕組みや、端末の管轄（最寄の位置）の緊急通報受理機関への接続を提供することができる。
【００３７】
（Ｂ）第２の実施形態
以下、本発明の第２の実施形態を図面を参照しながら詳述する。図４は、本発明の緊急通報システムの全体の構成図であり、アクセスネットワーク（２０１）［図２］の構成にさらに、無線ＩＰ電話端末（３１５）が接続されるときの構成を示したものである。
【００３８】
（Ｂ−１）第２の実施形態の構成
無線アクセスネットワーク（３０１）は、ＩＰ電話端末（３１１）、位置情報管理サーバ（３１２）を備える。無線アクセスネットワーク（３０１）は、さらに、無線ＩＰ電話端末（３１５）、無線アクセスポイント（３１６）、認証サーバ（３１７）を備える。無線アクセスネットワーク（３０１）は、ＩＰ電話端末（３１１）以外に複数のＩＰ電話端末を接続することは可能であるが、図４では省略する。無線アクセスネットワーク（３０１）は、無線アクセスポイントを介して、無線ＩＰ電話端末（３１５）以外に複数の無線ＩＰ電話端末を接続することは可能であるが、図４では省略する。また、無線アクセスネットワークは、無線アクセスネットワーク（３０１）以外に存在してもよいが、図４では省略する。無線アクセスネットワーク（３０１）は、無線アクセスポイント（３１６）以外に複数の無線アクセスポイントを接続することは可能であるが、図４では省略する。
【００３９】
ＩＰ電話端末（３１１）は、ＩＰ電話端末（２１１）［図２］と基本的に同様な構成を有する。位置情報管理サーバ（３１２）は、位置情報管理サーバ（２１２）［図２］と基本的に同様な構成を有する。位置情報管理サーバ（３１２）の更なる構成は、後述される。
【００４０】
無線ＩＰ電話端末（３１５）は、無線アクセスポイント（３１６）に接続される。無線ＩＰ電話端末（３１５）は、他の無線アクセスポイントにも接続が可能である。
【００４１】
無線アクセスポイント（３１６）は、無線ＩＰ電話端末（３１５）の接続に係る接続メッセージを位置情報管理サーバ（３１２）に通知する機能を持つ。無線アクセスポイント（３１６）が無線ＩＰ電話端末（３１５）の接続に係る接続メッセージを通知するタイミングは、無線ＩＰ電話端末（３１５）が無線アクセスポイント（３１６）に接続を行った時と、無線ＩＰ電話端末（３１５）が無線アクセスポイント（３１６）間を移動し再接続を行った時であり、位置情報管理サーバ（３１２）に対し無線ＩＰ電話端末（３１５）に係る第１の位置情報の登録要求を行う。また、無線アクセスポイント（３１６）が無線ＩＰ電話端末（３１５）の接続に係る接続メッセージを通知するタイミングは、無線アクセスポイント（３１６）が無線ＩＰ電話端末（３１５）との接続を終了した時であり、位置情報管理サーバ（３１２）に対し無線ＩＰ電話端末（３１５）に係る第１の位置情報の無効化要求を行う。また、無線アクセスポイント（３１６）は、同様に接続している他のＩＰ電話端末の接続に係る接続メッセージを位置情報管理サーバ（３１２）に通知する機能を持つ。
【００４２】
位置情報管理サーバ（３１２）は、位置情報管理サーバ（２１２）［図２］と基本的に同様な構成を有する。位置情報管理サーバ（３１２）は、さらに、無線アクセスポイント（３１６）から通知される第１の位置情報を、無線ＩＰ電話端末（３１５）の第１の端末情報に対応させて管理する。無線ＩＰ電話端末（３１５）の第１の端末情報の一例は、無線ＩＰ電話端末（３１５）のＩＰアドレスや、無線ＩＰ電話端末（３１５）を保有するユーザのＳＩＰ−ＵＲＩである。また、位置情報管理サーバ（３１２）は、同様に、他の無線アクセスポイントから通知される位置情報を、他の無線ＩＰ電話端末の端末情報に対応させて管理する。
【００４３】
位置情報管理サーバ（３１２）は、第１の管理部（３１３）と第１の処理部（３１４）を有する。第１の管理部（３１３）は、第１の管理部（２１３）［図２］と基本的に同様な構成を有し、さらに無線ＩＰ電話端末（３１５）の第１の端末情報と無線ＩＰ電話端末（３１５）の第１の位置情報を管理する。また、第１の管理部（３１３）は、無線アクセスポイント（３１６）のＩＤと無線アクセスポイント（３１６）の位置情報も管理する。また、第１の管理部（３１３）は、同様に、他の無線ＩＰ電話端末の端末情報と他の無線ＩＰ電話端末の位置情報を管理する。
【００４４】
第１の処理部（３１４）は、第１の処理部（２１４）［図２］と基本的に同様な構成を有し、第１の処理部（３１４）は、後述される位置情報通知サーバ（３２２）から送信された第１の端末情報を受信して、位置情報通知サーバ（３２２）に第１の位置情報を送信する。ここで、第１の位置情報は、さらに無線ＩＰ電話端末（３１５）が接続される無線アクセスポイント（３１６）の位置情報と対応させて管理される。また、第１の処理部（３１４）は、同様に、後述される位置情報通知サーバ（３２２）から送信された他の端末情報を受信して、位置情報通知サーバ（３２２）に他の位置情報を送信する。
【００４５】
位置情報管理サーバ（３１２）は、さらに無線ＬＡＮサービス事業者などの無線ＬＡＮアクセスネットワークの運用管理者が管理する。運用形態により、位置情報通知サーバ（３２２）と同じネットワークに設置される場合もあるし、ＮＡＴ（Ｎｅｔｗｏｒｋ  Ａｄｄｒｅｓｓ  Ｔｒａｎｓｌａｔｉｏｎ）機能やファイヤーウォール機能などにより分けられた別々のネットワークに設置される場合もある。
【００４６】
認証サーバ（３１７）は、無線ＩＰ電話端末（３１５）が無線アクセスポイント（３１６）に接続される際、端末の認証が行われ、正しく認証されたとき、無線ＩＰ電話端末（３１５）が無線アクセスポイント（３１６）に接続することを許可する。認証サーバ（３１７）は、無線アクセスポイント（３１６）を介して無線ＩＰ電話端末（３１５）からユーザＩＤとパスワードを受信し、予め登録された無線ＩＰ電話端末（３１５）におけるユーザＩＤとパスワードを照合する。照合結果は、無線アクセスポイント（３１６）に返信する。また、認証サーバ（３１７）は、同様に、他の無線ＩＰ電話端末が無線アクセスポイント（３１６）に接続される際、端末の認証が行われ、正しく認証されたとき、他の無線ＩＰ電話端末が無線アクセスポイント（３１６）に接続することを許可する。認証サーバ（３１７）は、無線アクセスポイント（３１６）を介して他の無線ＩＰ電話端末からユーザＩＤとパスワードを受信し、予め登録された他の無線ＩＰ電話端末におけるユーザＩＤとパスワードを照合する。照合結果は、無線アクセスポイント（３１６）に返信する。また、認証サーバ（３１７）は、同様に、他の無線アクセスポイントに関しても上記と同様に、端末の認証、接続許可、照合、返信を行う。
【００４７】
ＶｏＩＰネットワーク（３０２）は、呼制御サーバ（３２１）、位置情報通知サーバ（３２２）、加入者情報データベース（３２３）、接続先情報データベース（３２４）を備える。
【００４８】
呼制御サーバ（３２１）は、呼制御サーバ（１２１）［図２］と基本的に同様な構成を有し、さらに無線ＩＰ電話端末（３１５）と後述される緊急通報受理機関（指令装置）（３０３）との呼接続の制御を行う。更なる構成は、後述される。また、呼制御サーバ（３２１）は、同様に、無線ＩＰ電話端末（３１５）と他の緊急通報受理機関（指令装置）との呼接続の制御、他の無線ＩＰ電話端末と緊急通報受理機関（指令装置）（３０３）との呼接続の制御などを行う。
【００４９】
加入者情報データベース（３２３）は、加入者情報データベース（２２３）［図２］と基本的に同様な構成を有する。加入者情報データベース（３２３）は、さらに無線ＩＰ電話端末（３１５）の第１の端末情報（無線ＩＰ電話端末（３１５） におけるＩＰアドレス、ＳＩＰ−ＵＲＩなど）が管理され、データベースとして登録されている。加入者情報データベース（３２３）は、同様に、無線ＩＰ電話端末（３１５）の以外の他の無線ＩＰ電話端末に関しても管理され、データベースとして登録されている。
【００５０】
接続先情報データベース（３２４）は、接続先情報データベース（３２４）［図２］と基本的に同様な構成を有する。接続先情報データベース（３２４）は、指令装置（３０３）の第２の位置情報と、第１の装置情報である後述される指令装置（３０３）に係るＩＰアドレスや、ＳＩＰ−ＵＲＩなどが管理され、データベースとして登録されている。ここで、第２の位置情報は、例えば指令装置が管轄する地域（エリア）を特定する位置情報などである。またオプションとして、第２の位置情報は、例えば指令装置の位置情報などである。接続先情報データベース（３２４）は、同様に指令装置（３０３）以外の指令装置に関しても管理され、データベースとして登録されている。また、接続先情報データベース（３２４）は、同様に他の指令装置の位置情報と、他の指令装置の装置情報であり他の指令装置に係るＩＰアドレスや、ＳＩＰ−ＵＲＩなどが管理され、データベースとして登録されている。
【００５１】
接続先情報データベース（３２４）は、呼制御サーバ（３２１）から送信された第１の位置情報を受信して、第１の位置情報が指令装置（３０２）で管轄する地域（エリア）となる第２の位置を検索し、この第２の位置に対応する第１の装置情報を送信する。またオプションとして、接続先情報データベース（３２４）は、呼制御サーバ（３２１）から送信された第１の位置情報を受信して、第１の位置情報に距離的に最も近い、到達時間が最も短いなどに対応した最寄の位置となる第２の位置を検索し、この第２の位置に対応する第１の装置情報を送信してもよい。また、接続先情報データベース（３２４）は、同様に呼制御サーバ（３２１）から送信された他の位置情報を受信して、他の位置情報が他の指令装置で管轄する地域（エリア）となる位置を検索し、この位置に対応する装置情報を送信する。
【００５２】
位置情報通知サーバ（３２２）は、位置情報通知サーバ（３２２）［図２］と基本的に同様な構成を有し、さらに位置情報受信装置（３３２）、または呼制御サーバ（３２１）から無線ＩＰ電話端末（３１５）の位置が要求された場合に、位置情報管理サーバ（３１２）から無線ＩＰ電話端末（３１５）の第１の位置情報を取得して返信する機能を持つ。また、位置情報通知サーバ（３２２）は、同様に位置情報受信装置（３３２）、または呼制御サーバ（３２１）から他の無線ＩＰ電話端末の位置が要求された場合に、位置情報管理サーバ（３１２）から他の無線ＩＰ電話端末の位置情報を取得して返信する機能を持ち、位置情報通知サーバ（３２２）は、同様に他の位置情報受信装置から無線ＩＰ電話端末の位置が要求された場合に、位置情報管理サーバ（３１２）からこの無線ＩＰ電話端末の位置情報を取得して返信する機能を持つ。
【００５３】
位置情報通知サーバ（３２２）は、第２の管理部（３２５）と第２の処理部（２２６）を有する。第２の管理部（３２５）は、第２の管理部（２２５）［図２］と基本的に同様な構成を有し、さらに無線ＩＰ電話端末（３１５）の第１の端末情報と位置情報管理サーバ（２１２）の第１のアドレス情報を管理する。また、第２の管理部（３２５）は、同様に、他の無線ＩＰ電話端末の端末情報と位置情報管理サーバのアドレス情報を管理する。なお、第２の管理部（３２５）において、第１の端末情報、他の端末情報、第１のアドレス情報などは、例えば位置情報管理サーバ（３１２）を介して登録される。
【００５４】
第２の処理部（３２６）は、第２の処理部（２２６）［図２］と基本的に同様な構成を有し、さらに指令装置（３０３）から第１の端末情報（例えば、無線ＩＰ電話端末（３１５）のＩＰアドレス、ＳＩＰ−ＵＲＩ等）を受信して、第１のアドレス情報に基づいて位置情報管理サーバ（３１２）に第１の端末情報を送信し、位置情報管理サーバ（３１２）から第１の位置情報を受信し、指令装置に第１の位置情報を送信する。また、第２の処理部（３２６）は、同様に、指令装置（３０３）から他の端末情報を受信して、このアドレス情報に基づいて位置情報管理サーバ（３１２）に他の無線ＩＰ電話端末における他の端末情報を送信し、位置情報管理サーバ（３１２）から他の端末情報に対応する位置情報を受信し、指令装置（３０３）にこの位置情報を送信する。第２の処理部（３２６）は、さらに呼制御サーバ（３２１）から第１の端末情報を受信して、第１のアドレス情報に基づいて位置情報管理サーバ（３１２）に第１の端末情報を送信し、位置情報管理サーバ（３１２）から第１の位置情報を受信し、呼制御サーバ（３２１）に第１の位置情報を送信する。また、第２の処理部（３２６）は、同様に、呼制御サーバ（３２１）から他の端末情報を受信して、このアドレス情報に基づいて位置情報管理サーバ（３１２）に他の端末情報を送信し、位置情報管理サーバ（３１２）から他の端末情報に対応する位置情報を受信し、呼制御サーバ（３２１）にこの位置情報を送信する。
【００５５】
また、呼制御サーバ（３２１）は、呼制御サーバ（２２１）［図２］と基本的に同様な構成を有する。呼制御サーバ（３２１）は、さらに無線ＩＰ電話端末（３１５）が送信した第１の端末情報（無線ＩＰ電話端末（３１５）におけるＩＰアドレスや、ＳＩＰ−ＵＲＩなど）を含む第１の信号を受信する。呼制御サーバ（３２１）は、第１の信号の接続先の情報が指令装置（３０３）に係る第１の装置情報などにより第１の信号が緊急通報であると判断したとき、位置情報通知サーバ（３２２）に対して位置情報管理サーバ（３１２）の無線ＩＰ電話端末（３１５）の第１の端末情報を送信する。
【００５６】
また、呼制御サーバ（３２１）は、同様に、他の無線ＩＰ電話端末が送信した他の端末情報を含む他の信号を受信する。呼制御サーバ（３２１）は、他の信号の接続先の情報が指令装置に係る装置情報などにより緊急通報であると判断したとき、位置情報通知サーバ（３２２）に対して他の端末情報を送信する。
【００５７】
呼制御サーバ（３２１）は、位置情報通知サーバ（３２２）が送信した無線ＩＰ電話端末（３１５）の第１の位置情報を受信し、接続先情報データベース（３２４）に対して、第１の位置情報を送信する。呼制御サーバ（３２１）は、接続先情報データベース（３２４）が送信した第１の装置情報（指令装置（３０３）に係るＩＰアドレス、ＳＩＰ−ＵＲＩ等）を受信して、第１の装置情報に基づいて、無線ＩＰ電話端末（３１５）の管轄（最寄の位置）となる指令装置（３０３）に対して発呼する。
【００５８】
呼制御サーバ（３２１）は、同様に、位置情報通知サーバ（３２２）が送信した他の無線ＩＰ電話端末の位置情報を受信し、接続先情報データベース（３２４）に対して、他の位置情報を送信する。呼制御サーバ（３２１）は、同様に、接続先情報データベース（３２４）が送信した装置情報を受信して、この装置情報に基づいて、他の無線ＩＰ電話端末の管轄（最寄の位置）となる指令装置に対して発呼する。
【００５９】
緊急通報受理機関（指令装置）（３０３）は、指令台端末（３３１）、位置情報受理装置（３３２）を備える。緊急通報受理機関（指令装置）（３０３）は、指令台端末（３３１）以外に、複数の指令台端末を設置することは可能であるが、図４では省略する。緊急通報受理機関（指令装置）（３０３）は、位置情報受理装置（３３２）以外に、複数の位置情報受理装置を設置することは可能であるが、図４では省略する。また、緊急通報受理機関（指令装置）は、緊急通報受理機関（指令装置）（３０３）以外に存在してもよいが、図４では省略する。
【００６０】
指令台端末（３３１）は、指令台端末（２３１）［図２］と基本的に同様な構成をし、さらに無線ＩＰ電話端末（３１５）との緊急通報の受信、無線ＩＰ電話端末（３１５）への逆信を行う。位置情報受理装置（３３２）は、位置情報受理装置（２３２）［図２］と基本的に同様な構成を有し、さらに無線ＩＰ電話端末（３１５）の位置情報の取得、取得した無線ＩＰ電話端末（３１５）の位置情報を地図上に表示させる機能などを備える。
【００６１】
また、指令台端末（３３１）は、同様に、他の無線ＩＰ電話端末との緊急通報の受信、他の無線ＩＰ電話端末への逆信を行う。位置情報受理装置（３３２）は、他の無線ＩＰ電話端末の位置情報の取得、取得した他の無線ＩＰ電話端末の位置情報を地図上に表示させる機能などを備える。
【００６２】
（Ｂ−２）第２の実施形態の動作
図２と図３を用いて、第２の実施形態の構成における動作を説明する。ここで、ＩＰ電話端末（３１１）との接続については、上記（Ａ−２）第１の実施形態の動作と同様であるので、無線ＩＰ電話端末（３１５）との接続のみ説明する。無線ＩＰ電話端末（３１５）との接続のときの基本的な動作は、ＩＰ電話端末（２１１）［図２］との接続のときの動作と同様である。
【００６３】
無線アクセスポイント（３１６）は、無線ＩＰ電話端末（３１５）との接続時にＩＥＥＥ８０２．１ｘなどで定める認証手順に従い、無線ＩＰ電話端末（３１５）からユーザＩＤとパスワードを受信し、認証サーバ（３１７）と連携して、無線ＩＰ電話端末（３１５）のユーザの認証処理を行う。ユーザ認証が完了すると、端末接続メッセージとして無線アクセスポイント（３１６）のＩＤと無線ＩＰ電話端末（３１５）のユーザＩＤを位置情報管理サーバ（３１２）に送信する。
【００６４】
位置情報管理サーバ（３１２）には、ユーザＩＤと無線ＩＰ電話端末（３１５）の第１の端末情報（無線ＩＰ電話端末（３１５）のＩＰアドレスや、ＳＩＰ−ＵＲＩなど）が登録されていて、ユーザ認証が完了したときに送信される端末接続メッセージから無線アクセスポイント（３１６）のＩＤから予め登録された無線アクセスポイント（３１６）の位置情報を、送信されたユーザＩＤに対応する第１の端末情報（無線ＩＰ電話端末（３１５）のＳＩＰ−ＵＲＩなど）の第１の位置情報として登録する。
【００６５】
なお、無線アクセスポイントの位置情報については、無線アクセスポイント（３１６）の設置時または移設時に、無線アクセスポイントの位置を位置情報管理サーバ（３１２）に登録する。
【００６６】
また、無線アクセスポイントの位置情報については、オプションとして、無線アクセスポイント（３１６）自身にＧＰＳ等の位置情報測定機能を搭載して、この位置情報測定機能により測定された位置情報を、無線アクセスポイントの設置時または移設時に、位置情報管理サーバ（３１２）に登録してもよい。また、この位置登録をするオプションとして、上記無線ＩＰ電話端末（３１５）の接続メッセージに無線アクセスポイント（３１６）の位置情報の測定データを含める方式や、位置情報管理サーバ（３１２）が無線アクセスポイント（３１６）に適宜、位置情報の測定データを問い合わせる方式などにより実現してもよい。
【００６７】
図４において、無線ＩＰ電話端末（３１５）が緊急通報を行うと［ステップ：Ｓ３１［図５］］、呼制御サーバ（３２１）は、位置情報通知サーバ（３２２）に通報者である無線ＩＰ電話端末（３１５）の第１の端末情報（例えば、無線ＩＰ電話端末（３１５）のＩＰアドレス、ＳＩＰ−ＵＲＩ等）を含むメッセージにより、通報者である無線ＩＰ電話端末（３１５）の位置情報を要求する［ステップ：Ｓ３２［図５］］。
【００６８】
位置情報通知サーバ（３２２）は、無線ＩＰ電話端末（３１５）の第１の端末情報と位置情報管理サーバ（３１２）の第１のアドレス情報があらかじめ対応付けされた形で登録されていて、無線ＩＰ電話端末（３１５）の第１の端末情報から位置情報管理サーバ（３１２）の第１のアドレス情報を特定し、上記第１の端末情報を含むメッセージにより通報者である無線ＩＰ電話端末（３１５）の位置情報を要求する［ステップ：Ｓ３３［図５］］。
【００６９】
位置情報管理サーバ（３１２）は、上記方式により管理している無線ＩＰ電話端末（３１５）の第１の端末情報を検索し、要求された第１の端末情報に対応する無線ＩＰ電話端末（３１５）の第１の位置情報を返信する［ステップ：Ｓ３４［図５］］。
【００７０】
位置情報通知サーバ（３２２）は、取得した第１の位置情報を呼制御サーバ（３２１）に返信し［ステップ：Ｓ３５［図５］］、呼制御サーバ（３２１）は、接続先情報データベース（３１４）から第１の位置情報に対応する指令装置（３０３）の第１の装置情報（例えば、指令装置（３０３）における指令台端末（３３１）のＩＰアドレス、ＳＩＰ−ＵＲＩ等）を取得する。
【００７１】
呼制御サーバ（３２１）は、指令装置（３０３）に対して緊急通報の接続要求を行い［ステップ：Ｓ３６［図５］］、無線ＩＰ電話端末（３１５）と指令装置（３０３）との間の呼接続を実行する［ステップ：Ｓ３７［図５］］。
【００７２】
また、指令装置（３０３）で通報者である無線ＩＰ電話端末（３１５）の位置情報を確認したい場合は、位置情報受信装置（３３２）から、無線ＩＰ電話端末（３１５）の第１の端末情報を含むメッセージにより、位置情報通知サーバ（３２２）に通報者である無線ＩＰ電話端末（３１５）の第１の位置情報を要求する［ステップ：Ｓ４１［図５］］。この場合は、位置情報通知サーバ（３２２）は、上記ステップ：Ｓ３３、ステップ：Ｓ３４と同様に位置情報管理サーバ（３１２）に問い合わせて無線ＩＰ電話端末（３１５）の第１の位置情報を要求し［ステップ：Ｓ４２［図５］］、位置情報管理サーバ（３１２）は、通報者である無線ＩＰ電話端末（３１５）の第１の位置情報を返信し［ステップ：Ｓ４３［図５］］、位置情報通知サーバ（３２２）は、取得したこの第１の位置情報を位置情報受信装置（３３２）に返信する［ステップ：Ｓ４４［図５］］。
【００７３】
なお、指令装置（３０３）から通報者である無線ＩＰ電話端末（３１５）の第１の位置情報を要求する時に、位置情報受信装置（３３２）に無線ＩＰ電話端末（３１５）の第１の端末情報を入力する方式については、オペレータが指令台端末（３３１）のＧＵＩ等で確認し入力する方式や、指令台端末（３３１）から自動的に取得する方式などを用いる。
【００７４】
なお、上記において、位置情報管理サーバ（３１２）が、ＮＡＴ機能などにより分けられた別々のネットワークに設置される場合、無線ＩＰ電話端末（３１５）は、ＶｏＩＰネットワーク（３０２）に対して送信／受信するときにグローバルＩＰアドレスを用いる。それゆえ、この場合は、無線ＩＰ電話端末（３１５）の第１の端末情報としてグローバルＩＰアドレスを用いても良い。
【００７５】
（Ｂ−３）第２の実施形態の効果
第２の実施形態の効果としては、第１の実施形態の効果に加え、さらに端末が無線端末であるとき、端末が異なる無線サービスエリアに移動した場合でも、通話時点での端末のアドレス情報から位置情報管理装置を特定するので、現時点の端末の位置情報を取得することができる。
【００７６】
（Ｃ）第３の実施形態
以下、本発明の第３の実施形態を図面を参照しながら詳述する。図６は、本発明の緊急通報システムの全体の構成図であり、アクセスネットワーク（２０１）［図２］の構成において、ＩＰ電話端末（２１１）の情報として、第１の端末情報あるいは位置情報管理サーバ（２１２）の管理するネットワークアドレスとしてもよい場合の構成を示したものである。本発明の第３の実施形態の構成は、上記（Ａ−１）第１の実施形態の構成における位置情報通知サーバ（２２２）［図２］、呼制御サーバ（２２１）［図２］が主に異なる。
【００７７】
（Ｃ−１）第３の実施形態の構成
アクセスネットワーク（４０１）は、ＩＰ電話端末（４１１）、位置情報管理サーバ（４１２）を備える。アクセスネットワーク（４０１）は、ＩＰ電話端末（４１１）以外に複数のＩＰ電話端末を接続することは可能であるが、図６では省略する。また、アクセスネットワークは、アクセスネットワーク（４０１）以外に存在してもよいが、図６では省略する。
【００７８】
ＩＰ電話端末（４１１）は、ＩＰ電話端末（２１１）［図２］と基本的に同様な構成を有する。
【００７９】
位置情報管理サーバ（４１２）は、位置情報管理サーバ（２１２）［図２］と基本的に同様な構成を有する。位置情報管理サーバ（４１２）は、ＩＰ電話端末（４１１）の第１の位置情報を、ＩＰ電話端末（４１１）の第１の端末情報に対応させて管理する。ＩＰ電話端末（４１１）における第１の端末情報の一例は、ＩＰ電話端末（４１１）のＩＰアドレスや、ＩＰ電話端末（４１１）を保有するユーザのＳｅｓｓｉｏｎ  Ｉｎｉｔｉａｔｉｏｎ  Ｐｒｏｔｏｃｏｌ −  Ｕｎｉｆｏｒｍ  Ｒｅｓｏｕｒｃｅ  Ｉｄｅｎｔｉｆｉｅｒ（以下、ＳＩＰ−ＵＲＩと記載する。ＳＩＰは例えばＲＦＣ３２６１で規定されるプロトコルで、ＳＩＰ−ＵＲＩの表記の仕方の一例は、ドメイン名部分とローカル部分から構成される）である。位置情報管理サーバ（４１２）は、同様にＩＰ電話端末（４１１）以外のＩＰ電話端末も管理し、他の各ＩＰ電話端末の位置情報を、他の各ＩＰ電話端末の端末情報に対応させて管理する。
【００８０】
位置情報管理サーバ（４１２）は、ＩＰ電話端末（４１１）の第１の端末情報とＩＰ電話端末（４１１）の第１の位置情報を管理する第１の管理部（４１３）と、後述される位置情報通知サーバ（４２２）から送信された第１の端末情報を受信して、位置情報通知サーバ（４２２）に第１の位置情報を送信する第１の処理部（４１４）とを備える。第１の位置情報は、設置されたＩＰ電話端末（４１１）の位置、移設されたＩＰ電話端末（４１１）の位置などに基づいて登録され、第１の端末情報と対応させて管理される。第１の管理部（４１３）は、同様にＩＰ電話端末（４１１）以外のＩＰ電話端末に関しても管理する。第１の処理部（４１４）は、同様にＩＰ電話端末（４１１）以外のＩＰ電話端末に関しても処理する。
【００８１】
位置情報管理サーバ（４１２）は、企業やＬＡＮ（Ｌｏｃａｌ  Ａｒｅａ  Ｎｅｔｗｏｒｋ）サービス事業者などのＬＡＮアクセスネットワークの運用管理者が管理する。運用形態により、位置情報通知サーバ（４２２）と同じネットワークに設置される場合もあるし、ＮＡＴ（Ｎｅｔｗｏｒｋ  Ａｄｄｒｅｓｓ  Ｔｒａｎｓｌａｔｉｏｎ）機能やファイヤーウォール機能などにより分けられた別々のネットワークに設置される場合もある。
【００８２】
ＶｏＩＰ（Ｖｏｉｃｅ  ｏｖｅｒ  Ｉｎｔｅｒｎｅｔ  Ｐｒｏｔｏｃｏｌ）ネットワーク（４０２）は、呼制御サーバ（４２１）、位置情報通知サーバ（４２２）、加入者情報データベース（４２３）、接続先情報データベース（４２４）を備える。
【００８３】
呼制御サーバ（４２１）は、呼制御サーバ（２２１）［図２］と基本的に同様な構成を有し、ＩＰ電話端末（４１１）と緊急通報受理機関（指令装置）（４０３）との呼接続の制御を行う。呼制御サーバ（４２１）の更なる構成は、後述される。また、呼制御サーバ（４２１）は、同様に、ＩＰ電話端末（４１１）と他の緊急通報受理機関（指令装置）との呼接続の制御、他のＩＰ電話端末と緊急通報受理機関（指令装置）（４０３）との呼接続の制御などを行う。
【００８４】
加入者情報データベース（４２３）は、加入者情報データベース（２２３）［図２］と基本的に同様な構成を有する。加入者情報データベース（４２３）は、ＩＰ電話端末（４１１）の第１の端末情報であるＩＰ電話端末（４１１）におけるＩＰアドレスや、ＳＩＰ−ＵＲＩなどが管理され、データベースとして登録されている。加入者情報データベース（４２３）は、同様に、ＩＰ電話端末（４１１）の以外のＩＰ電話端末に関しても管理され、データベースとして登録されている。
【００８５】
接続先情報データベース（４２４）は、接続先情報データベース（２２４）［図２］と基本的に同様な構成を有する。接続先情報データベース（４２４）は、指令装置（４０３）の第２の位置情報と、第１の装置情報であり後述される指令装置（４０３）に係るＩＰアドレスや、ＳＩＰ−ＵＲＩなどが管理され、データベースとして登録されている。ここで、第２の位置情報は、例えば指令装置が管轄する地域（エリア）を特定する位置情報などである。またオプションとして、第２の位置情報は、例えば指令装置の位置情報などである。接続先情報データベース（４２４）は、同様に指令装置（４０３）以外の指令装置に関しても管理され、データベースとして登録されている。また、接続先情報データベース（４２４）は、同様に他の指令装置の位置情報と、他の指令装置の装置情報であり他の指令装置に係るＩＰアドレスや、ＳＩＰ−ＵＲＩなどが管理され、データベースとして登録されている。
【００８６】
接続先情報データベース（４２４）は、呼制御サーバ（４２１）から送信された第１の位置情報を受信して、第１の位置情報が指令装置（４０３）で管轄する地域（エリア）となる第２の位置を検索し、この第２の位置に対応する第１の装置情報を送信する。またオプションとして、接続先情報データベース（４２４）は、呼制御サーバ（４２１）から送信された第１の位置情報を受信して、第１の位置情報に距離的に最も近い、到達時間が最も短いなどに対応した最寄の位置となる第２の位置を検索し、この第２の位置に対応する第１の装置情報を送信してもよい。また、接続先情報データベース（４２４）は、同様に呼制御サーバ（４２１）から送信された他の位置情報を受信して、他の位置情報が他の指令装置で管轄する地域（エリア）となる位置を検索し、この位置に対応する装置情報を送信する。
【００８７】
位置情報通知サーバ（４２２）は、第１の端末情報（例えば、ＩＰ電話端末（４１１）のＩＰアドレス、ＳＩＰ−ＵＲＩ等）あるいは位置情報管理サーバ（４１２）の管理するネットワークアドレスと、位置情報管理サーバ（４１２）の第１のアドレス情報（例えば、位置情報管理サーバ（４１２）のＩＰアドレス等）を管理する第２の管理部（４２５）を備える。位置情報通知サーバ（４２２）は、指令装置（４０３）（位置情報受信装置（４３２））から第１の端末情報（例えば、ＩＰ電話端末（４１１）のＩＰアドレス、ＳＩＰ−ＵＲＩ等）を受信して、第１のアドレス情報（例えば、位置情報管理サーバ（４１２）のＩＰアドレス等）に基づいて位置情報管理サーバ（４１２）に第１の端末情報を送信し、位置情報管理サーバ（４１２）から第１の位置情報を受信し、指令装置（４０３）（位置情報受信装置（４３２））に第１の位置情報を送信する第２の処理部（４２６）とを備える。また、第２の管理部（４２５）は、同様に他の端末情報あるいは位置情報管理サーバ（４１２）の管理するネットワークアドレスと、位置情報管理サーバのアドレス情報を管理する。また、第２の処理部（４２６）は、同様に指令装置（４０３）から他の端末情報を受信して、この他の端末情報に応じて処理し、第２の処理部（４２６）は、同様に他の指令装置から端末情報を受信して、この端末情報に応じて処理をする。なお、第２の管理部（４２５）において、第１の端末情報、他の端末情報、第１のアドレス情報、第１のアドレス情報におけるネットワークアドレスなどは、例えば位置情報管理サーバ（４１２）を介して登録される。
【００８８】
なお、第２の処理部（４２６）は、指令装置（４０３）が保有する第２の端末情報（例えば、ＩＰ電話端末（４１１）のＩＰアドレス、ＳＩＰ−ＵＲＩ等）を受信した時に、呼制御サーバ（４２１）に対して第２の端末情報を送信し、その時点で呼制御サーバ（４２１）が管理している端末情報を第１端末情報として利用しても良い。呼制御サーバ（４２１）は、呼接続を制御しているＩＰ電話端末の端末情報を管理しており、位置情報通知サーバ（４２２）から第２の端末情報を受信するとその時点で管理している第１の端末情報（例えば、ＩＰ電話端末（４１１）のＩＰアドレス、ＳＩＰ−ＵＲＩ等）を検索し、検索した第１の端末情報を位置情報通知サーバ（４２２）に送信する。第２の処理部（４２６）は、呼制御サーバ（４２１）から第１の端末情報を受信して、第１のアドレス情報に基づいて位置情報管理サーバ（４１２）に第１の端末情報を送信し、位置情報管理サーバ（４１２）から第１の位置情報を受信し、指令装置（４０３）（位置情報受信装置（４３２））に第１の位置情報を送信する。
【００８９】
位置情報通知サーバ（４２２）は、また、呼制御サーバ（４２１）から第１の端末情報に対応するＩＰ電話端末（４１１）の位置が要求された場合に、位置情報管理サーバ（４１２）からＩＰ電話端末（４１１）の第１の位置情報を取得して返信する機能を持つ。第２の処理部（４２６）は、呼制御サーバ（４２１）から第１の端末情報（例えば、ＩＰ電話端末（４１１）のＩＰアドレス、ＳＩＰ−ＵＲＩ等）を受信して、第１のアドレス情報（例えば、位置情報管理サーバ（４１２）のＩＰアドレス等）に基づいて位置情報管理サーバ（４１２）に第１の端末情報を送信し、位置情報管理サーバ（４１２）から第１の位置情報を受信し、呼制御サーバ（４２１）に第１の位置情報を送信する。また、位置情報通知サーバ（４２２）は、同様に呼制御サーバ（４２１）から他の端末情報に対応する他のＩＰ電話端末の位置が要求された場合に、位置情報管理サーバ（４１２）から他のＩＰ電話端末の位置情報を取得して返信する機能を持つ。第２の処理部（４２６）は、呼制御サーバ（４２１）から他の端末情報を受信して、他のアドレス情報に基づいて位置情報管理サーバに他の端末情報を送信し、他のアドレス情報に基づいた位置情報管理サーバから位置情報を受信し、呼制御サーバ（４２１）にこの位置情報を送信する。
【００９０】
また、第２の管理部（４２５）が、位置情報管理サーバ（４１２）の管理するネットワークアドレスを管理している場合でも、第１のアドレス情報は、例えば次のように求められる。例えば、ＩＰ電話端末（４１１）が、アクセスネットワーク（４０１）に存在するとき、ＩＰ電話端末（４１１）の第１の端末情報は、アクセスネットワーク（４０１）に存在する位置情報管理サーバ（４１２）に管理される。このとき、ＩＰ電話端末（４１１）と位置情報管理サーバ（４１２）は、同一のアクセスネットワーク（４０１）に存在するので、ＩＰ電話端末（４１１）のＩＰアドレス（例、「ａａａ．ｂｂｂ．ｃｃｃ．ｘｘｘ」）のネットワークアドレス（例、「ａａａ．ｂｂｂ．ｃｃｃ」）と位置情報管理サーバ（４１２）のＩＰアドレス（例、「ａａａ．ｂｂｂ．ｃｃｃ．ｚｚｚ」）のネットワークアドレス（例、「ａａａ．ｂｂｂ．ｃｃｃ」）は、同一となる。よって、ＩＰ電話端末（４１１）のＩＰアドレスが分かれば、ＩＰ電話端末（４１１）のネットワークアドレスからＩＰ電話端末（４１１）が管理されている位置情報管理サーバ（４１２）のネットワークアドレスが分かり、位置情報管理サーバ（４１２）のネットワークアドレスから位置情報管理サーバ（４１２）のＩＰアドレスが分かる。
【００９１】
また、呼制御サーバ（４２１）は、ＩＰ電話端末（４１１）が送信した第１の端末情報（例えば、ＩＰ電話端末（４１１）のＩＰアドレス、ＳＩＰ−ＵＲＩ等）を含む第１の信号を受信する。呼制御サーバ（４２１）は、第１の信号の接続先の情報が指令装置（４０３）に係る第１の装置情報（指令装置（４０３）に係るＩＰアドレス、ＳＩＰ−ＵＲＩ等）などにより緊急通報であると判断したとき、位置情報通知サーバ（４２２）に対して位置情報管理サーバ（４１２）の第１の端末情報を送信する。また、呼制御サーバ（４２１）は、同様に、他のＩＰ電話端末が送信した他の端末情報を含む他の信号を受信する。呼制御サーバ（４２１）は、他の信号の接続先の情報が指令装置に係る装置情報などにより緊急通報であると判断したとき、位置情報通知サーバ（４２２）に対して他の端末情報を送信する。
【００９２】
呼制御サーバ（４２１）は、位置情報通知サーバ（４２２）が送信したＩＰ電話端末（４１１）の第１の位置情報を受信し、接続先情報データベース（４２４）に対して、第１の位置情報を送信する。呼制御サーバ（４２１）は、接続先情報データベース（４２４）が送信した第１の装置情報を受信して、第１の装置情報に基づいて、ＩＰ電話端末（４１１）の管轄（最寄の位置）となる指令装置（４０３）に対して発呼する。また、呼制御サーバ（４２１）は、同様に、位置情報通知サーバ（４２２）が送信した他のＩＰ電話端末の位置情報を受信し、接続先情報データベース（４２４）に対して、他の位置情報を送信する。呼制御サーバ（４２１）は、同様に、接続先情報データベース（４２４）が送信した装置情報を受信して、この装置情報に基づいて、他のＩＰ電話端末の管轄（最寄の位置）となる指令装置に対して発呼する。
【００９３】
緊急通報受理機関（指令装置）（４０３）は、緊急通報受理機関（指令装置）（２０３）［図２］と基本的に同様な構成を有する。緊急通報受理機関（指令装置）（４０３）は、指令台端末（４３１）、位置情報受理装置（４３２）を備える。緊急通報受理機関（指令装置）（４０３）は、指令台端末（４３１）以外に、複数の指令台端末を設置することは可能であるが、図４では省略する。緊急通報受理機関（指令装置）（４０３）は、位置情報受理装置（４３２）以外に、複数の位置情報受理装置を設置することは可能であるが、図４では省略する。また、緊急通報受理機関（指令装置）は、緊急通報受理機関（指令装置）（４０３）以外に存在してもよいが、図４では省略する。
【００９４】
指令台端末（４３１）は、指令台端末（２３１）［図２］と基本的に同様な構成を有し、ＩＰ電話端末（４１１）との緊急通報の受信、ＩＰ電話端末（４１１）への逆信を行う。位置情報受理装置（４３２）は、位置情報受理装置（２３２）［図２］と基本的に同様な構成を有し、ＩＰ電話端末（４１１）の第１の位置情報の取得、取得したＩＰ電話端末（４１１）の第１の位置情報を地図上に表示させる機能などを備える。また、指令台端末（４３１）は、同様に、他のＩＰ電話端末との緊急通報の受信、他のＩＰ電話端末への逆信を行う。位置情報受理装置（４３２）は、他のＩＰ電話端末の位置情報の取得、取得した他のＩＰ電話端末の位置情報を地図上に表示させる機能などを備える。
【００９５】
（Ｃ−２）第３の実施形態の動作
図６と図７を用いて、第３の本実施形態の構成における動作を説明する。第２の管理部（４２５）において、第１の端末情報と第１のアドレス情報とした場合から、第１の端末情報あるいは位置情報管理サーバ（２１２）の管理するネットワークアドレスと第１のアドレス情報とした場合、この第３の実施形態の動作は、上記（Ａ−２）第１の実施形態の動作と主に異なるステップは、ステップ：Ｓ５３［図７］と、ステップ：Ｓ６２［図７］である。ステップ：Ｓ５３［図７］は、上記（Ａ−２）第１の実施形態の動作のステップ：Ｓ１３［図３］に対応するステップであり、ステップ：Ｓ６２［図７］は、上記（Ａ−２）第１の実施形態の動作のステップ：Ｓ２２［図３］に対応するステップである。
【００９６】
図６において、ＩＰ電話端末（４１１）が緊急通報を行うと［ステップ：Ｓ５１［図７］］、呼制御サーバ（４２１）は、位置情報通知サーバ（４２２）に通報者であるＩＰ電話端末（４１１）の第１の端末情報（例えば、ＩＰ電話端末（４１１）のＩＰアドレス、ＳＩＰ−ＵＲＩ等）を含むメッセージにより、通報者であるＩＰ電話端末（４１１）の位置情報を要求する［ステップ：Ｓ５２［図７］］。
【００９７】
位置情報通知サーバ（４２２）は、ＩＰ電話端末（４１１）の第１の端末情報あるいは位置情報管理サーバ（４１２）の管理するネットワークアドレスと、位置情報管理サーバ（４１２）の第１のアドレス情報があらかじめ対応付けされた形で登録されていて、ＩＰ電話端末（４１１）の第１の端末情報から位置情報管理サーバ（４１２）の第１のアドレス情報を特定し、上記第１の端末情報を含むメッセージにより通報者であるＩＰ電話端末（４１１）の位置情報を要求する［ステップ：Ｓ５３［図７］］。
【００９８】
位置情報管理サーバ（４１２）は、上記方式により管理しているＩＰ電話端末（４１１）の第１の端末情報を検索し、要求された第１の端末情報に対応するＩＰ電話端末（４１１）の第１の位置情報を返信する［ステップ：Ｓ５４［図７］］。
【００９９】
位置情報通知サーバ（４２２）は、取得した第１の位置情報を呼制御サーバ（４２１）に返信し［ステップ：Ｓ５５［図７］］、呼制御サーバ（４２１）は、接続先情報データベース（４１４）から第１の位置情報に対応する指令装置（４０３）における指令台端末（４３１）の第１の装置情報（例えば、指令装置（４０３）の指令台端末（４３１）のＩＰアドレス、ＳＩＰ−ＵＲＩ等）を取得する。
【０１００】
呼制御サーバ（４２１）は、指令装置（４０３）に対して緊急通報の接続要求を行い［ステップ：Ｓ５６［図７］］、ＩＰ電話端末（４１１）と指令装置（４０３）との間の呼接続を実行する［ステップ：Ｓ５７［図７］］。
【０１０１】
また、指令装置（４０３）で通報者であるＩＰ電話端末（４１１）の位置情報を確認したい場合は、位置情報受信装置（４３２）から、ＩＰ電話端末（４１１）の第１の端末情報を含むメッセージにより、位置情報通知サーバ（４２２）に通報者であるＩＰ電話端末（４１１）の第１の位置情報を要求する［ステップ：Ｓ６１［図７］］。この場合は、位置情報通知サーバ（４２２）は、上記ステップ：Ｓ５３、ステップ：Ｓ５４と同様に位置情報管理サーバ（４１２）に問い合わせてＩＰ電話端末（４１１）の第１の位置情報を要求し［ステップ：Ｓ６２［図７］］、位置情報管理サーバ（４１２）は、通報者であるＩＰ電話端末（４１１）の第１の位置情報を返信し［ステップ：Ｓ６３［図７］］、位置情報通知サーバ（４２２）は、取得したこの第１の位置情報を位置情報受信装置（４３２）に返信する［ステップ：Ｓ６４［図７］］。
【０１０２】
なお、指令装置（４０３）から通報者であるＩＰ電話端末（４１１）の第１の位置情報を要求する時に、位置情報受信装置（４３２）にＩＰ電話端末（４１１）の第１の端末情報を入力する方式については、オペレータが指令台端末（４３１）のＧｒａｐｈｉｃａｌ  Ｕｓｅｒ  Ｉｎｔｅｒｆａｃｅ（以下、ＧＵＩと記載する）等で確認し入力する方式や、指令台端末（４３１）から自動的に取得する方式などを用いる。
【０１０３】
次に、第３の実施形態の動作において、指令装置（４０３）がＩＰ電話端末（４１１）の第１の端末情報として、ＩＰ電話端末（４１１）のＳＩＰ−ＵＲＩ（第２の端末情報）を知っており、位置情報通知サーバ（４２２）が位置情報管理サーバ（４１２）の管理するネットワークアドレスと、位置情報管理サーバ（４１２）の対応情報を管理している場合の動作の一例［ケース１］［ステップ：Ｓ６１［図７］〜ステップ：Ｓ６４［図７］］を説明する。また、ＩＰ電話端末（４１１）のＩＰアドレスとＳＩＰ−ＵＲＩ（第２の端末情報）を知っており、位置情報通知サーバ（４２２）が位置情報管理サーバ（４１２）の管理するネットワークアドレスと、位置情報管理サーバ（４１２）の対応情報を管理している場合の動作の一例［ケース２］［ステップ：Ｓ６１［図７］〜ステップ：Ｓ６４［図７］］を説明する。ケース１、ケース２では、一例として、第２の処理部（４２６）において、指令装置（４０３）が保有する第２の端末情報（ＩＰ電話端末（４１１）のＩＰアドレス、ＳＩＰ−ＵＲＩ）を受信した時に、呼制御サーバ（４２１）に対して第２の端末情報を送信し、その時点で呼制御サーバ（４２１）が管理している端末情報を第１端末情報として利用するときのことを示す。
【０１０４】
［ケース１］
ステップ：Ｓ６１［図７］において、指令装置（４０３）で通報者であるＩＰ電話端末（４１１）の位置情報を確認したい場合は、位置情報受信装置（４３２）から、ＩＰ電話端末（４１１）の第２の端末情報であるＳＩＰ−ＵＲＩを含むメッセージにより、位置情報通知サーバ（４２２）に通報者であるＩＰ電話端末（４１１）の第１の位置情報を要求する。
【０１０５】
ステップ：Ｓ６２［図７］において、位置情報通知サーバ（４２２）は、ＩＰ電話端末（４１１）の第２の端末情報であるＳＩＰ−ＵＲＩを呼制御サーバ（５２１）に送信する（ステップ：Ｓ６２−１［図７］）。呼制御サーバ（５２１）は、ＩＰ電話端末（４１１）が発呼／通話しているとき、発呼／通話におけるＩＰ電話端末（４１１）の第１の端末情報であるＳＩＰ−ＵＲＩ、ＩＰアドレスなどを管理している、またはこれらＳＩＰ−ＵＲＩ、ＩＰアドレスなどの問合わせ先を知っている。それゆえ、呼制御サーバ（５２１）は、受信したＩＰ電話端末（４１１）の第２の端末情報であるＳＩＰ−ＵＲＩから、現状のＩＰ電話端末（４１１）の第１の端末情報であるＩＰアドレスを検索する。呼制御サーバ（５２１）は、検索した第１の端末情報であるＩＰアドレスを、位置情報通知サーバ（４２２）に送信する（ステップ：Ｓ６２−２［図７］）。
【０１０６】
位置情報通知サーバ（４２２）は、位置情報管理サーバ（４１２）の管理するネットワークアドレスと、位置情報管理サーバ（４１２）の第１のアドレス情報であるＩＰアドレスがあらかじめ対応付けされた形で登録されている。位置情報通知サーバ（４２２）は、受信した第１の端末情報であるＩＰアドレスから、対応するネットワークアドレスを検索し、検索したネットワークアドレスから位置情報管理サーバ（４１２）のＩＰアドレスを特定する。位置情報通知サーバ（４２２）は、特定した位置情報管理サーバ（４１２）に対して、第１の端末情報であるＩＰアドレスを含むメッセージにより通報者であるＩＰ電話端末（４１１）の位置情報を要求する。（ここでは、一例として、第１の端末情報であるＩＰアドレスにおけるネットワークアドレス、位置情報管理サーバ（４１２）の管理するネットワークアドレスは、「ａａａ．ｂｂｂ．ｃｃｃ」、ＩＰ電話端末（４１１）の第１の端末情報であるＩＰアドレスは、「ａａａ．ｂｂｂ．ｃｃｃ．ｘｘｘ」、位置情報管理サーバ（４１２）のＩＰアドレスは、「ａａａ．ｂｂｂ．ｃｃｃ．ｚｚｚ」とする。また、他の位置情報管理サーバの管理するネットワークアドレスは、「ａａａ．ｂｂｂ．ｄｄｄ」、他の位置情報管理サーバのＩＰアドレスは、「ａａａ．ｂｂｂ．ｃｃｃ．ｚｚｚ」とし、ＩＰ電話端末（４１１）が他のアクセスネットワークに移設（移動）したとき、ＩＰ電話端末（４１１）が他の位置情報管理サーバに登録されるので、このときのＩＰ電話端末（４１１）の第１の端末情報であるＩＰアドレスは、「ａａａ．ｂｂｂ．ｄｄｄ．ｘｘｘ」、第１の端末情報であるＩＰアドレスにおけるネットワークアドレスは、「ａａａ．ｂｂｂ．ｄｄｄ」とする。）
【０１０７】
ステップ：Ｓ６３［図７］において、位置情報管理サーバ（４１２）は、上記方式により管理しているＩＰ電話端末（４１１）の第１の端末情報であるＩＰアドレスを検索し、要求された第１の端末情報であるＩＰアドレスに対応するＩＰ電話端末（４１１）の第１の位置情報を、位置情報通知サーバ（４２２）に返信する。このとき、ＩＰ電話端末（４１１）がアクセスネットワーク（４０１）に存在しているならば、ＩＰ電話端末（４１１）の第１の端末情報であるＩＰアドレスは、「ａａａ．ｂｂｂ．ｃｃｃ．ｘｘｘ」である。また、ＩＰ電話端末（４１１）がアクセスネットワーク（４０１）から移動して他のアクセスネットワークに存在しているならば、ＩＰ電話端末（４１１）の第１の端末情報であるＩＰアドレスは、「ａａａ．ｂｂｂ．ｄｄｄ．ｘｘｘ」である。
【０１０８】
ステップ：Ｓ６４［図７］において、位置情報通知サーバ（４２２）は、通報者であるＩＰ電話端末（４１１）の第１の位置情報を取得し、この第１の位置情報を位置情報受信装置（４３２）に返信する。
【０１０９】
［ケース２］
ステップ：Ｓ６１［図７］において、指令装置（４０３）で通報者であるＩＰ電話端末（４１１）の位置情報を確認したい場合は、位置情報受信装置（４３２）から、ＩＰ電話端末（４１１）の第２の端末情報であるＩＰアドレスとＳＩＰ−ＵＲＩを含むメッセージにより、位置情報通知サーバ（４２２）に通報者であるＩＰ電話端末（４１１）の第１の位置情報を要求する。
【０１１０】
位置情報通知サーバ（４２２）は、位置情報管理サーバ（４１２）の管理するネットワークアドレスと、位置情報管理サーバ（４１２）の第１のアドレス情報であるＩＰアドレスがあらかじめ対応付けされた形で登録されている。位置情報通知サーバ（４２２）は、受信した第２の端末情報であるＩＰアドレスから、対応するネットワークアドレスを検索し、検索したネットワークアドレスから位置情報管理サーバ（４１２）のＩＰアドレスを特定する。位置情報通知サーバ（４２２）は、特定した位置情報管理サーバ（４１２）に対して、第２の端末情報であるＩＰアドレスを含むメッセージにより通報者であるＩＰ電話端末（４１１）の位置情報を要求する。（ここでは、一例として、第１の端末情報であるＩＰアドレスにおけるネットワークアドレス、位置情報管理サーバ（４１２）の管理するネットワークアドレスは、「ａａａ．ｂｂｂ．ｃｃｃ」、ＩＰ電話端末（４１１）の第１の端末情報であるＩＰアドレスは、「ａａａ．ｂｂｂ．ｃｃｃ．ｘｘｘ」、位置情報管理サーバ（４１２）のＩＰアドレスは、「ａａａ．ｂｂｂ．ｃｃｃ．ｚｚｚ」とする。また、他の位置情報管理サーバの管理するネットワークアドレスは、「ａａａ．ｂｂｂ．ｄｄｄ」、他の位置情報管理サーバのＩＰアドレスは、「ａａａ．ｂｂｂ．ｃｃｃ．ｚｚｚ」とし、ＩＰ電話端末（４１１）が他のアクセスネットワークに移設（移動）したとき、ＩＰ電話端末（４１１）が他の位置情報管理サーバに登録されるので、このときのＩＰ電話端末（４１１）の第１の端末情報であるＩＰアドレスは、「ａａａ．ｂｂｂ．ｄｄｄ．ｘｘｘ」、第１の端末情報であるＩＰアドレスにおけるネットワークアドレスは、「ａａａ．ｂｂｂ．ｄｄｄ」とする。）
【０１１１】
ステップ：Ｓ６３［図７］において、第２の端末情報であるＩＰアドレスが第１の端末情報であるＩＰアドレスと等しいとき、位置情報管理サーバ（４１２）は、上記方式により管理しているＩＰ電話端末（４１１）の第１の端末情報であるＩＰアドレスを検索し、要求された第１の端末情報であるＩＰアドレスに対応するＩＰ電話端末（４１１）の第１の位置情報を、位置情報通知サーバ（４２２）に返信する。このとき、ＩＰ電話端末（４１１）の第２の端末情報であるＩＰアドレスが、「ａａａ．ｂｂｂ．ｃｃｃ．ｘｘｘ」であり、ＩＰ電話端末（４１１）がアクセスネットワーク（４０１）に存在しているならば、ＩＰ電話端末（４１１）の第１の端末情報であるＩＰアドレスは、「ａａａ．ｂｂｂ．ｃｃｃ．ｘｘｘ」である。
【０１１２】
ステップ：Ｓ６４［図７］において、位置情報通知サーバ（４２２）は、通報者であるＩＰ電話端末（４１１）の第１の位置情報を取得し、この第１の位置情報を位置情報受信装置（４３２）に返信する。
【０１１３】
但し、ＩＰ電話端末（４１１）の第２の端末情報であるＩＰアドレスが、「ａａａ．ｂｂｂ．ｃｃｃ．ｘｘｘ」であるが、ＩＰ電話端末（４１１）がアクセスネットワーク（４０１）から移設（移動）して他のアクセスネットワークに存在しているならば、ＩＰ電話端末（４１１）の第１の端末情報であるＩＰアドレスは、「ａａａ．ｂｂｂ．ｄｄｄ．ｘｘｘ」である。このとき、位置情報管理サーバ（４１２）よりＩＰ電話端末（４１１）の第１の位置情報を取得できないので、上記［ケース１］：ステップ：Ｓ６２［図７］〜ステップ：Ｓ６４［図７］の手順により、ＩＰ電話端末（４１１）の第２の端末情報であるＳＩＰ−ＵＲＩを用いて行う。
【０１１４】
ステップ：Ｓ６２［図７］において、位置情報通知サーバ（４２２）は、ＩＰ電話端末（４１１）の第２の端末情報であるＳＩＰ−ＵＲＩを呼制御サーバ（５２１）に送信する（ステップ：Ｓ６２−１［図７］）。呼制御サーバ（５２１）は、ＩＰ電話端末（４１１）が発呼／通話しているとき、発呼／通話におけるＩＰ電話端末（４１１）の第１の端末情報であるＳＩＰ−ＵＲＩ、ＩＰアドレスなどを管理している、またはこれらＳＩＰ−ＵＲＩ、ＩＰアドレスなどの問合わせ先を知っている。それゆえ、呼制御サーバ（５２１）は、受信したＩＰ電話端末（４１１）の第２の端末情報であるＳＩＰ−ＵＲＩから、現状のＩＰ電話端末（４１１）の第１の端末情報であるＩＰアドレスを検索する。呼制御サーバ（４２１）は、検索した第１の端末情報であるＩＰアドレスを、位置情報通知サーバ（４２２）に送信する（ステップ：Ｓ６２−２［図７］）。
【０１１５】
位置情報通知サーバ（４２２）は、位置情報管理サーバ（４１２）の管理するネットワークアドレスと、位置情報管理サーバ（４１２）の第１のアドレス情報であるＩＰアドレスがあらかじめ対応付けされた形で登録されている。位置情報通知サーバ（４２２）は、受信した第１の端末情報であるＩＰアドレスから、対応するネットワークアドレスを検索し、検索したネットワークアドレスから位置情報管理サーバ（４１２）のＩＰアドレスを特定する。位置情報通知サーバ（４２２）は、特定した位置情報管理サーバ（４１２）に対して、第１の端末情報であるＩＰアドレスを含むメッセージにより通報者であるＩＰ電話端末（４１１）の位置情報を要求する。
【０１１６】
ステップ：Ｓ６３［図７］において、位置情報管理サーバ（４１２）は、上記方式により管理しているＩＰ電話端末（４１１）の第１の端末情報であるＩＰアドレスを検索し、要求された第１の端末情報であるＩＰアドレスに対応するＩＰ電話端末（４１１）の第１の位置情報を、位置情報通知サーバ（４２２）に返信する。このとき、ＩＰ電話端末（４１１）がアクセスネットワーク（４０１）から移設（移動）して他のアクセスネットワークに存在しているので、ＩＰ電話端末（４１１）の第１の端末情報であるＩＰアドレスは、「ａａａ．ｂｂｂ．ｄｄｄ．ｘｘｘ」である。
【０１１７】
ステップ：Ｓ６４［図７］において、位置情報通知サーバ（４２２）は、通報者であるＩＰ電話端末（４１１）の第１の位置情報を取得し、この第１の位置情報を位置情報受信装置（４３２）に返信する。
【０１１８】
なお、上記ステップ：Ｓ６２［図７］、ステップ：Ｓ６２−２［図７］、ステップ：Ｓ６３［図７］、ステップ：Ｓ６４［図７］において、第２の端末情報であるＳＩＰ−ＵＲＩの記載を省略したが、各ステップにおいて第２の端末情報であるＳＩＰ−ＵＲＩが送信／受信されてもよい。
【０１１９】
なお、上記において、位置情報管理サーバ（４１２）が、ＮＡＴ機能などにより分けられた別々のネットワークに設置される場合、ＩＰ電話端末（４１１）は、ＶｏＩＰネットワーク（４０２）に対して送信／受信するときにグローバルＩＰアドレスを用いる。それゆえ、この場合は、ＩＰ電話端末（４１１）の第１の端末情報としてグローバルＩＰアドレスを用いても良い。
【０１２０】
（Ｃ−３）第３の実施形態の効果
第３の実施形態の発明の効果としては、ＩＰ電話端末の情報として、第１の端末情報あるいは位置情報管理サーバの管理するネットワークアドレスとしても、ＩＰ電話端末の位置情報を取得し、指令装置を備える管轄の緊急通報受理機関（指令装置）からの端末の位置情報の問い合わせに応答する仕組みや、端末の管轄（最寄の位置）の緊急通報受理機関への接続を提供することができる。
【０１２１】
（Ｄ）第４の実施形態
以下、本発明の第４の実施形態を図面を参照しながら詳述する。図８は、本発明の緊急通報システムの全体の構成図であり、アクセスネットワーク（４０１）［図６］の構成にさらに、無線ＩＰ電話端末（５１５）が接続されるときの構成を示したものである。
【０１２２】
（Ｄ−１）第４の実施形態の構成
無線アクセスネットワーク（５０１）は、ＩＰ電話端末（５１１）、位置情報管理サーバ（５１２）を備える。無線アクセスネットワーク（５０１）は、さらに、無線ＩＰ電話端末（５１５）、無線アクセスポイント（５１６）、認証サーバ（５１７）を備える。
【０１２３】
無線アクセスネットワーク（５０１）は、ＩＰ電話端末（５１１）以外に複数のＩＰ電話端末を接続することは可能であるが、図８では省略する。無線アクセスネットワーク（５０１）は、無線アクセスポイントを介して、無線ＩＰ電話端末（５１５）以外に複数の無線ＩＰ電話端末を接続することは可能であるが、図８では省略する。また、無線アクセスネットワークは、無線アクセスネットワーク（５０１）以外に存在してもよいが、図８では省略する。無線アクセスネットワーク（５０１）は、無線アクセスポイント（５１６）以外に複数の無線アクセスポイントを接続することは可能であるが、図８では省略する。
【０１２４】
ＩＰ電話端末（５１１）は、ＩＰ電話端末（４１１）［図６］と基本的に同様な構成を有する。位置情報管理サーバ（５１２）は、位置情報管理サーバ（４１２）［図６］と基本的に同様な構成を有する。位置情報管理サーバ（５１２）の更なる構成は、後述される。
【０１２５】
無線ＩＰ電話端末（５１５）は、無線アクセスポイント（５１６）に接続される。無線ＩＰ電話端末（５１５）は、他の無線アクセスポイントにも接続が可能である。
【０１２６】
無線アクセスポイント（５１６）は、無線ＩＰ電話端末（５１５）の接続に係る接続メッセージを位置情報管理サーバ（５１２）に通知する機能を持つ。無線アクセスポイント（５１６）が無線ＩＰ電話端末（５１５）の接続に係る接続メッセージを通知するタイミングは、無線ＩＰ電話端末（５１５）が無線アクセスポイント（５１６）に接続を行った時と、無線ＩＰ電話端末（５１５）が無線アクセスポイント（５１６）間を移動し再接続を行った時であり、位置情報管理サーバ（５１２）に対し無線ＩＰ電話端末（５１５）に係る第１の位置情報の登録要求を行う。また、無線アクセスポイント（５１６）が無線ＩＰ電話端末（５１５）の接続に係る接続メッセージを通知するタイミングは、無線アクセスポイント（５１６）が無線ＩＰ電話端末（５１５）との接続を終了した時であり、位置情報管理サーバ（５１２）に対し無線ＩＰ電話端末（５１５）に係る第１の位置情報の無効化要求を行う。また、無線アクセスポイント（５１６）は、同様に接続している他のＩＰ電話端末の接続に係る接続メッセージを位置情報管理サーバ（５１２）に通知する機能を持つ。
【０１２７】
位置情報管理サーバ（５１２）は、位置情報管理サーバ（４１２）［図６］と基本的に同様な構成を有する。位置情報管理サーバ（５１２）は、無線アクセスポイント（５１６）から通知される第１の位置情報も、無線ＩＰ電話端末（５１５）の第１の端末情報に対応させて管理する。無線ＩＰ電話端末（５１５）の第１の端末情報の一例は、無線ＩＰ電話端末（５１５）のＩＰアドレスや、無線ＩＰ電話端末（５１５）を保有するユーザのＳＩＰ−ＵＲＩである。また、位置情報管理サーバ（５１２）は、同様に、他の無線アクセスポイントから通知される位置情報も、他の無線ＩＰ電話端末の端末情報に対応させて管理する。
【０１２８】
位置情報管理サーバ（５１２）は、第１の管理部（５１３）と第１の処理部（５１４）を有する。第１の管理部（５１３）は、第１の管理部（４１３）［図６］と基本的に同様な構成を有し、さらに無線ＩＰ電話端末（５１５）の第１の端末情報と無線ＩＰ電話端末（５１５）の第１の位置情報を管理する。また、第１の管理部（５１３）は、無線アクセスポイント（５１６）のＩＤと無線アクセスポイント（５１６）の位置情報も管理する。また、第１の管理部（５１３）は、同様に、他の無線ＩＰ電話端末の端末情報と他の無線ＩＰ電話端末の位置情報を管理する。
【０１２９】
位置情報管理サーバ（５１２）は、無線ＬＡＮサービス事業者などの無線ＬＡＮアクセスネットワークの運用管理者も管理する。運用形態により、位置情報通知サーバ（５２２）と同じネットワークに設置される場合もあるし、ＮＡＴ（Ｎｅｔｗｏｒｋ  Ａｄｄｒｅｓｓ  Ｔｒａｎｓｌａｔｉｏｎ）機能やファイヤーウォール機能などにより分けられた別々のネットワークに設置される場合もある。
【０１３０】
第１の処理部（５１４）は、第１の処理部（４１４）［図６］と基本的に同様な構成を有し、第１の処理部（５１４）は、後述される位置情報通知サーバ（５２２）から送信された第１の端末情報を受信して、位置情報通知サーバ（５２２）に第１の位置情報を送信する。ここで、第１の位置情報は、さらに無線ＩＰ電話端末（５１５）が接続される無線アクセスポイント（５１６）の位置情報と対応させて管理される。また、第１の処理部（５１４）は、同様に、後述される位置情報通知サーバ（５２２）から送信された他の端末情報を受信して、位置情報通知サーバ（５２２）に他の位置情報を送信する。
【０１３１】
認証サーバ（５１７）は、無線ＩＰ電話端末（５１５）が無線アクセスポイント（５１６）に接続される際、端末の認証が行われ、正しく認証されたとき、無線ＩＰ電話端末（５１５）が無線アクセスポイント（５１６）に接続することを許可する。認証サーバ（５１７）は、無線アクセスポイント（５１６）を介して無線ＩＰ電話端末（５１５）からユーザＩＤとパスワードを受信し、予め登録された無線ＩＰ電話端末（５１５）におけるユーザＩＤとパスワードを照合する。照合結果は、無線アクセスポイント（５１６）に返信する。また、認証サーバ（５１７）は、同様に、他の無線ＩＰ電話端末が無線アクセスポイント（５１６）に接続される際、端末の認証が行われ、正しく認証されたとき、他の無線ＩＰ電話端末が無線アクセスポイント（５１６）に接続することを許可する。認証サーバ（５１７）は、無線アクセスポイント（５１６）を介して他の無線ＩＰ電話端末からユーザＩＤとパスワードを受信し、予め登録された他の無線ＩＰ電話端末におけるユーザＩＤとパスワードを照合する。照合結果は、無線アクセスポイント（５１６）に返信する。また、認証サーバ（５１７）は、同様に、他の無線アクセスポイントに関しても上記と同様に、端末の認証、接続許可、照合、返信を行う。
【０１３２】
但し、認証サーバ（５１７）は、使用しない場合もある。認証サーバ（５１７）は、使用しない場合における動作は、下記（Ｄ−２）第４の実施形態の動作にて説明する。
【０１３３】
ＶｏＩＰネットワーク（５０２）は、呼制御サーバ（５２１）、位置情報通知サーバ（５２２）、加入者情報データベース（５２３）、接続先情報データベース（５２４）を備える。
【０１３４】
呼制御サーバ（５２１）は、呼制御サーバ（４２１）［図６］と基本的に同様な構成を有し、さらに無線ＩＰ電話端末（５１５）と後述される緊急通報受理機関（指令装置）（５０３）との呼接続の制御を行う。更なる構成は、後述される。また、呼制御サーバ（５２１）は、同様に、無線ＩＰ電話端末（５１５）と他の緊急通報受理機関（指令装置）との呼接続の制御、他の無線ＩＰ電話端末と緊急通報受理機関（指令装置）（５０３）との呼接続の制御などを行う。
【０１３５】
加入者情報データベース（５２３）は、加入者情報データベース（４２３）［図６］と基本的に同様な構成を有する。加入者情報データベース（５２３）は、さらに無線ＩＰ電話端末（５１５）の第１の端末情報（無線ＩＰ電話端末（５１５） におけるＩＰアドレス、ＳＩＰ−ＵＲＩなど）が管理され、データベースとして登録されている。加入者情報データベース（５２３）は、同様に、無線ＩＰ電話端末（５１５）の以外の他の無線ＩＰ電話端末に関しても管理され、データベースとして登録されている。
【０１３６】
接続先情報データベース（５２４）は、接続先情報データベース（４２４）［図６］と基本的に同様な構成を有する。接続先情報データベース（５２４）は、指令装置（５０３）の第２の位置情報と、第１の装置情報である後述される指令装置（５０３）に係るＩＰアドレスや、ＳＩＰ−ＵＲＩなどが管理され、データベースとして登録されている。ここで、第２の位置情報は、例えば指令装置が管轄する地域（エリア）を特定する位置情報などである。またオプションとして、第２の位置情報は、例えば指令装置の位置情報などである。接続先情報データベース（５２４）は、同様に指令装置（５０３）以外の指令装置に関しても管理され、データベースとして登録されている。また、接続先情報データベース（５２４）は、同様に他の指令装置の位置情報と、他の指令装置の装置情報であり他の指令装置に係るＩＰアドレスや、ＳＩＰ−ＵＲＩなどが管理され、データベースとして登録されている。
【０１３７】
接続先情報データベース（５２４）は、呼制御サーバ（５２１）から送信された第１の位置情報を受信して、第１の位置情報が指令装置（５０２）で管轄する地域（エリア）となる第２の位置を検索し、この第２の位置に対応する第１の装置情報を送信する。またオプションとして、接続先情報データベース（５２４）は、呼制御サーバ（５２１）から送信された第１の位置情報を受信して、第１の位置情報に距離的に最も近い、到達時間が最も短いなどに対応した最寄の位置となる第２の位置を検索し、この第２の位置に対応する第１の装置情報を送信してもよい。また、接続先情報データベース（５２４）は、同様に呼制御サーバ（５２１）から送信された他の位置情報を受信して、他の位置情報が他の指令装置で管轄する地域（エリア）となる位置を検索し、この位置に対応する装置情報を送信する。
【０１３８】
位置情報通知サーバ（５２２）は、位置情報通知サーバ（４２２）［図６］と基本的に同様な構成を有し、さらに位置情報受信装置（５３２）、または呼制御サーバ（５２１）から無線ＩＰ電話端末（５１５）の位置が要求された場合に、位置情報管理サーバ（５１２）から無線ＩＰ電話端末（５１５）の第１の位置情報を取得して返信する機能を持つ。また、位置情報通知サーバ（５２２）は、同様に位置情報受信装置（５３２）、または呼制御サーバ（５２１）から他の無線ＩＰ電話端末の位置が要求された場合に、位置情報管理サーバ（５１２）から他の無線ＩＰ電話端末の位置情報を取得して返信する機能を持ち、位置情報通知サーバ（５２２）は、同様に他の位置情報受信装置から無線ＩＰ電話端末の位置が要求された場合に、位置情報管理サーバ（５１２）からこの無線ＩＰ電話端末の位置情報を取得して返信する機能を持つ。
【０１３９】
位置情報通知サーバ（５２２）は、第２の管理部（５２５）と第２の処理部（５２６）を有する。
【０１４０】
第２の管理部（５２５）は、第２の管理部（４２５）［図６］と基本的に同様な構成を有し、第２の管理部（４２５）は、さらに第１の端末情報（例えば、無線ＩＰ電話端末（５１５）のＩＰアドレス、ＳＩＰ−ＵＲＩ等）あるいは位置情報管理サーバ（５１２）の管理するネットワークアドレスと、位置情報管理サーバ（５１２）の第１のアドレス情報（例えば、位置情報管理サーバ（５１２）のＩＰアドレス等）を管理する。第２の処理部（４２６）は、第２の処理部（４２６）［図６］と基本的に同様な構成を有し、第２の処理部（４２６）は、指令装置（４０３）（位置情報受信装置（４３２））から第１の端末情報（例えば、無線ＩＰ電話端末（５１５）のＩＰアドレス、ＳＩＰ−ＵＲＩ等）を受信して、第１のアドレス情報（例えば、位置情報管理サーバ（５１２）のＩＰアドレス等）に基づいて位置情報管理サーバ（５１２）に第１の端末情報を送信し、位置情報管理サーバ（５１２）から第１の位置情報を受信し、指令装置（５０３）（位置情報受信装置（５３２））に第１の位置情報を送信するとを備える。
【０１４１】
また、第２の管理部（５２５）は、同様に他の無線ＩＰ電話端末における他の端末情報あるいは位置情報管理サーバ（５１２）の管理するネットワークアドレスと、位置情報管理サーバのアドレス情報を管理する。なお、第２の管理部（５２５）において、第１の端末情報、他の端末情報、第１のアドレス情報、第１のアドレス情報におけるネットワークアドレスなどは、例えば位置情報管理サーバ（５１２）を介して登録される。また、第２の処理部（５２６）は、同様に指令装置（５０３）から他の無線ＩＰ電話端末における他の端末情報を受信して、この他の端末情報に応じて処理し、第２の処理部（５２６）は、同様に他の指令装置から端末情報を受信して、この端末情報に応じて処理をする。
【０１４２】
なお、第２の処理部（５２６）は、さらに指令装置（５０３）が保有する第２の端末情報（例えば、無線ＩＰ電話端末（５１５）のＩＰアドレス、ＳＩＰ−ＵＲＩ等）を受信した時に、呼制御サーバ（５２１）に対して第２の端末情報を送信し、その時点で呼制御サーバ（５２１）が管理している端末情報を第１端末情報として利用しても良い。呼制御サーバ（５２１）は、呼接続を制御しているＩＰ電話端末の端末情報を管理しており、位置情報通知サーバ（５２２）から第２の端末情報を受信するとその時点で管理している第１の端末情報（例えば、無線ＩＰ電話端末（５１５）のＩＰアドレス、ＳＩＰ−ＵＲＩ等）を検索し、検索した第１の端末情報を位置情報通知サーバ（５２２）に送信する。第２の処理部（５２６）は、呼制御サーバ（５２１）から第１の端末情報を受信して、第１のアドレス情報に基づいて位置情報管理サーバ（５１２）に第１の端末情報を送信し、位置情報管理サーバ（５１２）から第１の位置情報を受信し、指令装置（５０３）（位置情報受信装置（５３２））に第１の位置情報を送信する。
【０１４３】
位置情報通知サーバ（５２２）は、さらに、呼制御サーバ（５２１）から第１の端末情報に対応する無線ＩＰ電話端末（５１５）の位置が要求された場合に、位置情報管理サーバ（５１２）から無線ＩＰ電話端末（５１５）の第１の位置情報を取得して返信する機能を持つ。第２の処理部（５２６）は、呼制御サーバ（５２１）から第１の端末情報（例えば、無線ＩＰ電話端末（５１５）のＩＰアドレス、ＳＩＰ−ＵＲＩ等）を受信して、第１のアドレス情報（例えば、位置情報管理サーバ（５１２）のＩＰアドレス等）に基づいて位置情報管理サーバ（５１２）に第１の端末情報を送信し、位置情報管理サーバ（５１２）から第１の位置情報を受信し、呼制御サーバ（５２１）に第１の位置情報を送信する。また、位置情報通知サーバ（５２２）は、同様に呼制御サーバ（５２１）から他の端末情報に対応する他の無線ＩＰ電話端末の位置が要求された場合に、位置情報管理サーバ（５１２）から他の無線ＩＰ電話端末の位置情報を取得して返信する機能を持つ。第２の処理部（５２６）は、呼制御サーバ（５２１）から他の端末情報を受信して、他のアドレス情報に基づいて位置情報管理サーバに他の端末情報を送信し、他のアドレス情報に基づいた位置情報管理サーバから位置情報を受信し、呼制御サーバ（５２１）にこの位置情報を送信する。
【０１４４】
また、第２の管理部（５２５）が、位置情報管理サーバ（５１２）の管理するネットワークアドレスを管理している場合でも、第１のアドレス情報は、例えば次のように求められる。例えば、無線ＩＰ電話端末（５１５）が、アクセスネットワーク（５０１）に存在するとき、無線ＩＰ電話端末（５１５）の第１の端末情報は、アクセスネットワーク（５０１）に存在する位置情報管理サーバ（５１２）に管理される。このとき、ＩＰ電話端末（５１１）と位置情報管理サーバ（５１２）は、同一のアクセスネットワーク（５０１）に存在するので、無線ＩＰ電話端末（５１５）のＩＰアドレス（例、「ａａａ．ｂｂｂ．ｃｃｃ．ｙｙｙ」）のネットワークアドレス（例、「ａａａ．ｂｂｂ．ｃｃｃ」）と位置情報管理サーバ（５１２）のＩＰアドレス（例、「ａａａ．ｂｂｂ．ｃｃｃ．ｚｚｚ」）のネットワークアドレス（例、「ａａａ．ｂｂｂ．ｃｃｃ」）は、同一となる。よって、無線ＩＰ電話端末（５１５）のＩＰアドレスが分かれば、無線ＩＰ電話端末（５１５）のネットワークアドレスから無線ＩＰ電話端末（５１５）が管理されている位置情報管理サーバ（５１２）のネットワークアドレスが分かり、位置情報管理サーバ（５１２）のネットワークアドレスから位置情報管理サーバ（５１２）のＩＰアドレスが分かる。
【０１４５】
また、呼制御サーバ（５２１）は、さらに無線ＩＰ電話端末（５１５）が送信した第１の端末情報（例えば、無線ＩＰ電話端末（５１５）のＩＰアドレス、ＳＩＰ−ＵＲＩ等）を含む第１の信号を受信する。呼制御サーバ（５２１）は、第１の信号の接続先の情報が指令装置（５０３）に係る第１の装置情報（指令装置（５０３）に係るＩＰアドレス、ＳＩＰ−ＵＲＩ等）などにより緊急通報であると判断したとき、位置情報通知サーバ（５２２）に対して位置情報管理サーバ（５１２）の第１の端末情報を送信する。また、呼制御サーバ（５２１）は、同様に、他の無線ＩＰ電話端末が送信した他の端末情報を含む他の信号を受信する。呼制御サーバ（５２１）は、他の信号の接続先の情報が指令装置に係る装置情報などにより緊急通報であると判断したとき、位置情報通知サーバ（５２２）に対して他の端末情報を送信する。
【０１４６】
呼制御サーバ（５２１）は、さらに位置情報通知サーバ（５２２）が送信した無線ＩＰ電話端末（５１５）の第１の位置情報を受信し、接続先情報データベース（５２４）に対して、第１の位置情報を送信する。呼制御サーバ（５２１）は、接続先情報データベース（５２４）が送信した第１の装置情報を受信して、第１の装置情報に基づいて、無線ＩＰ電話端末（５１５）の管轄（最寄の位置）となる指令装置（５０３）に対して発呼する。また、呼制御サーバ（５２１）は、同様に、位置情報通知サーバ（５２２）が送信した他の無線ＩＰ電話端末の位置情報を受信し、接続先情報データベース（５２４）に対して、他の位置情報を送信する。呼制御サーバ（５２１）は、同様に、接続先情報データベース（５２４）が送信した装置情報を受信して、この装置情報に基づいて、他の無線ＩＰ電話端末の管轄（最寄の位置）となる指令装置に対して発呼する。
【０１４７】
緊急通報受理機関（指令装置）（５０３）は、緊急通報受理機関（指令装置）（４０３）［図６］と基本的に同様な構成を有する。緊急通報受理機関（指令装置）（５０３）は、指令台端末（５３１）、位置情報受理装置（５３２）を備える。緊急通報受理機関（指令装置）（５０３）は、指令台端末（５３１）以外に、複数の指令台端末を設置することは可能であるが、図８では省略する。緊急通報受理機関（指令装置）（５０３）は、位置情報受理装置（５３２）以外に、複数の位置情報受理装置を設置することは可能であるが、図８では省略する。また、緊急通報受理機関（指令装置）は、緊急通報受理機関（指令装置）（５０３）以外に存在してもよいが、図８では省略する。
【０１４８】
指令台端末（５３１）は、指令台端末（４３１）［図６］と基本的に同様な構成を有し、さらに無線ＩＰ電話端末（５１５）との緊急通報の受信、無線ＩＰ電話端末（５１５）への逆信を行う。位置情報受理装置（５３２）は、位置情報受理装置（４３２）［図６］と基本的に同様な構成を有し、さらに無線ＩＰ電話端末（５１５）の第１の位置情報の取得、取得した無線ＩＰ電話端末（５１５）の第１の位置情報を地図上に表示させる機能などを備える。また、指令台端末（５３１）は、同様に、他の無線ＩＰ電話端末との緊急通報の受信、他の無線ＩＰ電話端末への逆信を行う。位置情報受理装置（５３２）は、他の無線ＩＰ電話端末の位置情報の取得、取得した他の無線ＩＰ電話端末の位置情報を地図上に表示させる機能などを備える。
【０１４９】
（Ｄ−２）第４の実施形態の動作
図８と図９を用いて、第４の実施形態の構成における動作を説明する。第２の管理部（５２５）において、第１の端末情報と第１のアドレス情報とした場合から、第１の端末情報あるいは位置情報管理サーバ（５１２）の管理するネットワークアドレスと第１のアドレス情報とした場合について説明する。この第４の実施形態の動作は、上記（Ｃ−２）第３の実施形態の動作において、さらに無線ＩＰ電話端末が接続されたときとして説明する。ここで、ＩＰ電話端末（５１１）との接続については、上記（Ｃ−２）第３の実施形態の動作と同様であるので、無線ＩＰ電話端末（３１５）との接続のみ説明する。無線ＩＰ電話端末（５１５）が接続されるときの基本的な動作は、ＩＰ電話端末（５１１）［図６］が接続されるときの動作と同様である。なお、この第４の実施形態の動作であるステップ：Ｓ７１〜ステップ：Ｓ７７、ステップ：Ｓ８１〜ステップ：Ｓ８４（後述する）は、第３の実施形態の動作であるステップ：Ｓ５１〜ステップ：Ｓ５７、ステップ：Ｓ６１〜ステップ：Ｓ６４に対応する。また、こごては、認証サーバ（５１７）［図８］使用する場合と使用しない場合の２通りの動作をまとめて説明する。
【０１５０】
無線アクセスポイント（５１６）は、無線ＩＰ電話端末（５１５）との接続時にＩＥＥＥ８０２．１ｘなどで定める認証手順に従い、無線ＩＰ電話端末（５１５）からユーザＩＤとパスワードを受信し、認証サーバ（５１７）と連携して、無線ＩＰ電話端末（５１５）のユーザの認証処理を行う。ユーザ認証が完了すると、端末接続メッセージとして無線アクセスポイント（５１６）のＩＤと無線ＩＰ電話端末（５１５）のユーザＩＤを位置情報管理サーバ（５１２）に送信する。
【０１５１】
［認証サーバ（５１７）を使用する場合］
無線アクセスポイント（５１６）は、無線ＩＰ電話端末（５１５）との接続時にＩＥＥＥ８０２．１ｘなどで定める認証手順に従い、無線ＩＰ電話端末（５１５）からユーザＩＤとパスワードを受信し、認証サーバ（５１７）と連携して、無線ＩＰ電話端末（５１５）のユーザの認証処理を行う。ユーザ認証が完了すると、端末接続メッセージとして無線アクセスポイント（５１６）のＩＤと無線ＩＰ電話端末（５１５）の端末情報（無線ＩＰ電話端末（５１５）のＩＰアドレスやＳＩＰ−ＵＲＩなど）を位置情報管理サーバ（５１２）に送信する。
【０１５２】
［認証サーバ（５１７）を使用しない場合］
また、認証サーバを使用しない場合、無線アクセスポイント（５１６）は、無線ＩＰ電話端末（５１５）との接続時に、端末接続メッセージとして無線アクセスポイント（５１６）のＩＤと無線ＩＰ電話端末（５１５）の端末情報（無線ＩＰ電話端末（５１５）のＩＰアドレスやＳＩＰ−ＵＲＩなど）を位置情報管理サーバ（５１２）に送信する。
【０１５３】
位置情報管理サーバ（５１２）は、端末接続メッセージに含まれる無線アクセスポイント（５１６）のＩＤから予め登録された無線アクセスポイント（５１６）の位置情報を、送信された第１の端末情報（無線ＩＰ電話端末（５１５）のＩＰアドレスやＳＩＰ−ＵＲＩなど）の第１の位置情報として登録する。
【０１５４】
なお、無線アクセスポイントの位置情報については、無線アクセスポイント（５１６）の設置時または移設時に、無線アクセスポイントの位置を位置情報管理サーバ（５１２）に登録する。
【０１５５】
また、無線アクセスポイントの位置情報については、オプションとして、無線アクセスポイント（５１６）自身にＧＰＳ等の位置情報測定機能を搭載して、この位置情報測定機能により測定された位置情報を、無線アクセスポイントの設置時または移設時に、位置情報管理サーバ（５１２）に登録してもよい。また、この位置登録をするオプションとして、上記無線ＩＰ電話端末（５１５）の接続メッセージに無線アクセスポイント（５１６）の位置情報の測定データを含める方式や、位置情報管理サーバ（５１２）が無線アクセスポイント（５１６）に適宜、位置情報の測定データを問い合わせる方式などにより実現してもよい。
【０１５６】
図８において、無線ＩＰ電話端末（５１５）が緊急通報を行うと［ステップ：Ｓ７１［図９］］、呼制御サーバ（５２１）は、位置情報通知サーバ（５２２）に通報者である無線ＩＰ電話端末（５１５）の第１の端末情報（例えば、無線ＩＰ電話端末（５１５）のＩＰアドレス、ＳＩＰ−ＵＲＩ等）を含むメッセージにより、通報者である無線ＩＰ電話端末（５１５）の位置情報を要求する［ステップ：Ｓ７２［図９］］。
【０１５７】
位置情報通知サーバ（５２２）は、無線ＩＰ電話端末（５１５）の第１の端末情報と位置情報管理サーバ（５１２）の第１のアドレス情報があらかじめ対応付けされた形で登録されていて、無線ＩＰ電話端末（５１５）の第１の端末情報から位置情報管理サーバ（５１２）の第１のアドレス情報を特定し、上記第１の端末情報を含むメッセージにより通報者である無線ＩＰ電話端末（５１５）の位置情報を要求する［ステップ：Ｓ７３［図９］］。
【０１５８】
位置情報管理サーバ（５１２）は、上記方式により管理している無線ＩＰ電話端末（５１５）の第１の端末情報を検索し、要求された第１の端末情報に対応する無線ＩＰ電話端末（５１５）の第１の位置情報を返信する［ステップ：Ｓ７４［図９］］。
【０１５９】
位置情報通知サーバ（５２２）は、取得した第１の位置情報を呼制御サーバ（５２１）に返信し［ステップ：Ｓ７５［図９］］、呼制御サーバ（５２１）は、接続先情報データベース（５１４）から第１の位置情報に対応する指令装置（５０３）の第１の装置情報（例えば、指令装置（５０３）における指令台端末（５３１）のＩＰアドレス、ＳＩＰ−ＵＲＩ等）を取得する。
【０１６０】
呼制御サーバ（５２１）は、指令装置（５０３）に対して緊急通報の接続要求を行い［ステップ：Ｓ７６［図９］］、無線ＩＰ電話端末（５１５）と指令装置（５０３）との間の呼接続を実行する［ステップ：Ｓ７７［図９］］。
【０１６１】
また、指令装置（５０３）で通報者である無線ＩＰ電話端末（５１５）の位置情報を確認したい場合は、位置情報受信装置（５３２）から、無線ＩＰ電話端末（５１５）の第１の端末情報を含むメッセージにより、位置情報通知サーバ（５２２）に通報者である無線ＩＰ電話端末（５１５）の第１の位置情報を要求する［ステップ：Ｓ８１［図９］］。この場合は、位置情報通知サーバ（５２２）は、上記ステップ：Ｓ７３、ステップ：Ｓ７４と同様に位置情報管理サーバ（５１２）に問い合わせて無線ＩＰ電話端末（５１５）の第１の位置情報を要求し［ステップ：Ｓ８２［図９］］、位置情報管理サーバ（５１２）は、通報者である無線ＩＰ電話端末（５１５）の第１の位置情報を返信し［ステップ：Ｓ８３［図９］］、位置情報通知サーバ（５２２）は、取得したこの第１の位置情報を位置情報受信装置（５３２）に返信する［ステップ：Ｓ８４［図９］］。
【０１６２】
なお、指令装置（５０３）から通報者である無線ＩＰ電話端末（５１５）の第１の位置情報を要求する時に、位置情報受信装置（５３２）に無線ＩＰ電話端末（５１５）の第１の端末情報を入力する方式については、オペレータが指令台端末（５３１）のＧＵＩ等で確認し入力する方式や、指令台端末（５３１）から自動的に取得する方式などを用いる。
【０１６３】
次に、第４の実施形態の動作において、指令装置（５０３）が無線ＩＰ電話端末（５１５）の第１の端末情報として、無線ＩＰ電話端末（５１５）のＳＩＰ−ＵＲＩ（第２の端末情報）を知っており、位置情報通知サーバ（５２２）が位置情報管理サーバ（５１２）の管理するネットワークアドレスと、位置情報管理サーバ（５１２）の対応情報を管理している場合の動作の一例［ケース１］［ステップ：Ｓ８１［図９］〜ステップ：Ｓ８４［図９］］を説明する。また、無線ＩＰ電話端末（５１５）のＩＰアドレスとＳＩＰ−ＵＲＩ（第２の端末情報）を知っており、位置情報通知サーバ（５２２）が位置情報管理サーバ（５１２）の管理するネットワークアドレスと、位置情報管理サーバ（５１２）の対応情報を管理している場合の動作の一例［ケース２］［ステップ：Ｓ８１［図９］〜ステップ：Ｓ８４［図９］］を説明する。ケース１、ケース２では、一例として、第２の処理部（５２６）において、指令装置（５０３）が保有する第２の端末情報（無線ＩＰ電話端末（５１５）のＩＰアドレス、ＳＩＰ−ＵＲＩ）を受信した時に、呼制御サーバ（５２１）に対して第２の端末情報を送信し、その時点で呼制御サーバ（５２１）が管理している端末情報を第１端末情報として利用するときのことを示す。
【０１６４】
［ケース１］
ステップ：Ｓ８１［図９］において、指令装置（５０３）で通報者である無線ＩＰ電話端末（５１５）の位置情報を確認したい場合は、位置情報受信装置（５３２）から、無線ＩＰ電話端末（５１５）の第２の端末情報であるＳＩＰ−ＵＲＩを含むメッセージにより、位置情報通知サーバ（５２２）に通報者である無線ＩＰ電話端末（５１５）の第１の位置情報を要求する。
【０１６５】
ステップ：Ｓ８２［図９］において、位置情報通知サーバ（５２２）は、無線ＩＰ電話端末（５１５）の第２の端末情報であるＳＩＰ−ＵＲＩを呼制御サーバ（５２１）に送信する（ステップ：Ｓ８２−１［図９］）。呼制御サーバ（５２１）は、無線ＩＰ電話端末（５１５）が発呼／通話しているとき、発呼／通話における無線ＩＰ電話端末（５１５）の第１の端末情報であるＳＩＰ−ＵＲＩ、ＩＰアドレスなどを管理している、またはこれらＳＩＰ−ＵＲＩ、ＩＰアドレスなどの問合わせ先を知っている。それゆえ、呼制御サーバ（５２１）は、受信した無線ＩＰ電話端末（５１５）の第２の端末情報であるＳＩＰ−ＵＲＩから、現状の無線ＩＰ電話端末（５１５）の第１の端末情報であるＩＰアドレスを検索する。呼制御サーバ（５２１）は、検索した第１の端末情報であるＩＰアドレスを、位置情報通知サーバ（５２２）に送信する（ステップ：Ｓ８２−２［図９］）。
【０１６６】
位置情報通知サーバ（５２２）は、位置情報管理サーバ（５１２）の管理するネットワークアドレスと、位置情報管理サーバ（５１２）の第１のアドレス情報であるＩＰアドレスがあらかじめ対応付けされた形で登録されている。位置情報通知サーバ（５２２）は、受信した第１の端末情報であるＩＰアドレスから、対応するネットワークアドレスを検索し、検索したネットワークアドレスから位置情報管理サーバ（５１２）のＩＰアドレスを特定する。位置情報通知サーバ（５２２）は、特定した位置情報管理サーバ（５１２）に対して、第１の端末情報であるＩＰアドレスを含むメッセージにより通報者である無線ＩＰ電話端末（５１５）の位置情報を要求する。（ここでは、一例として、第１の端末情報であるＩＰアドレスにおけるネットワークアドレス、位置情報管理サーバ（５１２）の管理するネットワークアドレスは、「ａａａ．ｂｂｂ．ｃｃｃ」、無線ＩＰ電話端末（５１５）の第１の端末情報であるＩＰアドレスは、「ａａａ．ｂｂｂ．ｃｃｃ．ｙｙｙ」、位置情報管理サーバ（５１２）のＩＰアドレスは、「ａａａ．ｂｂｂ．ｃｃｃ．ｚｚｚ」とする。また、他の位置情報管理サーバの管理するネットワークアドレスは、「ａａａ．ｂｂｂ．ｄｄｄ」、他の位置情報管理サーバのＩＰアドレスは、「ａａａ．ｂｂｂ．ｃｃｃ．ｚｚｚ」とし、無線ＩＰ電話端末（５１５）が他のアクセスネットワークに移動したとき、無線ＩＰ電話端末（５１５）が他の位置情報管理サーバに登録されるので、このときの無線ＩＰ電話端末（５１５）の第１の端末情報であるＩＰアドレスは、「ａａａ．ｂｂｂ．ｄｄｄ．ｙｙｙ」、第１の端末情報であるＩＰアドレスにおけるネットワークアドレスは、「ａａａ．ｂｂｂ．ｄｄｄ」とする。）
【０１６７】
ステップ：Ｓ８３［図９］において、位置情報管理サーバ（５１２）は、上記方式により管理している無線ＩＰ電話端末（５１５）の第１の端末情報であるＩＰアドレスを検索し、要求された第１の端末情報であるＩＰアドレスに対応する無線ＩＰ電話端末（５１５）の第１の位置情報を、位置情報通知サーバ（５２２）に返信する。このとき、無線ＩＰ電話端末（５１５）がアクセスネットワーク（５０１）に存在しているならば、無線ＩＰ電話端末（５１５）の第１の端末情報であるＩＰアドレスは、「ａａａ．ｂｂｂ．ｃｃｃ．ｙｙｙ」である。また、無線ＩＰ電話端末（５１５）がアクセスネットワーク（５０１）から移動して他のアクセスネットワークに存在しているならば、無線ＩＰ電話端末（５１５）の第１の端末情報であるＩＰアドレスは、「ａａａ．ｂｂｂ．ｄｄｄ．ｙｙｙ」である。
【０１６８】
ステップ：Ｓ８４［図９］において、位置情報通知サーバ（５２２）は、通報者である無線ＩＰ電話端末（５１５）の第１の位置情報を取得し、この第１の位置情報を位置情報受信装置（５３２）に返信する。
【０１６９】
［ケース２］
ステップ：Ｓ８１［図９］において、指令装置（５０３）で通報者である無線ＩＰ電話端末（５１５）の位置情報を確認したい場合は、位置情報受信装置（５３２）から、無線ＩＰ電話端末（５１５）の第２の端末情報であるＩＰアドレスとＳＩＰ−ＵＲＩを含むメッセージにより、位置情報通知サーバ（５２２）に通報者である無線ＩＰ電話端末（５１５）の第１の位置情報を要求する。
【０１７０】
位置情報通知サーバ（５２２）は、位置情報管理サーバ（５１２）の管理するネットワークアドレスと、位置情報管理サーバ（５１２）の第１のアドレス情報であるＩＰアドレスがあらかじめ対応付けされた形で登録されている。位置情報通知サーバ（５２２）は、受信した第２の端末情報であるＩＰアドレスから、対応するネットワークアドレスを検索し、検索したネットワークアドレスから位置情報管理サーバ（５１２）ＩＰアドレスを特定する。位置情報通知サーバ（５２２）は、特定した位置情報管理サーバ（５１２）に対して、第２の端末情報であるＩＰアドレスを含むメッセージにより通報者である無線ＩＰ電話端末（５１５）の位置情報を要求する。（ここでは、一例として、第１の端末情報であるＩＰアドレスにおけるネットワークアドレス、位置情報管理サーバ（５１２）の管理するネットワークアドレスは、「ａａａ．ｂｂｂ．ｃｃｃ」、無線ＩＰ電話端末（５１５）の第１の端末情報であるＩＰアドレスは、「ａａａ．ｂｂｂ．ｃｃｃ．ｙｙｙ」、位置情報管理サーバ（５１２）のＩＰアドレスは、「ａａａ．ｂｂｂ．ｃｃｃ．ｚｚｚ」とする。また、他の位置情報管理サーバの管理するネットワークアドレスは、「ａａａ．ｂｂｂ．ｄｄｄ」、他の位置情報管理サーバのＩＰアドレスは、「ａａａ．ｂｂｂ．ｃｃｃ．ｚｚｚ」とし、無線ＩＰ電話端末（５１５）が他のアクセスネットワークに移動したとき、無線ＩＰ電話端末（５１５）が他の位置情報管理サーバに登録されるので、このときの無線ＩＰ電話端末（５１５）の第１の端末情報であるＩＰアドレスは、「ａａａ．ｂｂｂ．ｄｄｄ．ｙｙｙ」、第１の端末情報であるＩＰアドレスにおけるネットワークアドレスは、「ａａａ．ｂｂｂ．ｄｄｄ」とする。）
【０１７１】
ステップ：Ｓ８３［図９］において、第２の端末情報であるＩＰアドレスが第１の端末情報であるＩＰアドレスと等しいとき、位置情報管理サーバ（５１２）は、上記方式により管理している無線ＩＰ電話端末（５１５）の第１の端末情報であるＩＰアドレスを検索し、要求された第１の端末情報であるＩＰアドレスに対応する無線ＩＰ電話端末（５１５）の第１の位置情報を、位置情報通知サーバ（５２２）に返信する。
このとき、無線ＩＰ電話端末（５１５）の第２の端末情報であるＩＰアドレスが、「ａａａ．ｂｂｂ．ｃｃｃ．ｙｙｙ」であり、無線ＩＰ電話端末（５１５）がアクセスネットワーク（５０１）に存在しているならば、無線ＩＰ電話端末（５１５）の第１の端末情報であるＩＰアドレスは、「ａａａ．ｂｂｂ．ｃｃｃ．ｙｙｙ」である。
【０１７２】
ステップ：Ｓ８４［図９］において、位置情報通知サーバ（５２２）は、通報者である無線ＩＰ電話端末（５１５）の第１の位置情報を取得し、この第１の位置情報を位置情報受信装置（５３２）に返信する。
【０１７３】
但し、無線ＩＰ電話端末（５１５）の第２の端末情報であるＩＰアドレスが、「ａａａ．ｂｂｂ．ｃｃｃ．ｙｙｙ」であるが、無線ＩＰ電話端末（５１５）がアクセスネットワーク（５０１）から移動して他のアクセスネットワークに存在しているならば、無線ＩＰ電話端末（５１５）の第１の端末情報であるＩＰアドレスは、「ａａａ．ｂｂｂ．ｄｄｄ．ｙｙｙ」である。このとき、位置情報管理サーバ（５１２）より無線ＩＰ電話端末（５１５）の第１の位置情報を取得できないので、上記［ケース１］：ステップ：Ｓ８２［図９］〜ステップ：Ｓ８４［図９］の手順により、無線ＩＰ電話端末（５１５）の第２の端末情報であるＳＩＰ−ＵＲＩを用いて行う。
【０１７４】
ステップ：Ｓ８２［図９］において、位置情報通知サーバ（５２２）は、無線ＩＰ電話端末（５１５）の第２の端末情報であるＳＩＰ−ＵＲＩを呼制御サーバ（５２１）に送信する（ステップ：Ｓ８２−１［図９］）。呼制御サーバ（５２１）は、無線ＩＰ電話端末（５１５）が発呼／通話しているとき、発呼／通話における無線ＩＰ電話端末（５１５）の第１の端末情報であるＳＩＰ−ＵＲＩ、ＩＰアドレスなどを管理している、またはこれらＳＩＰ−ＵＲＩ、ＩＰアドレスなどの問合わせ先を知っている。それゆえ、呼制御サーバ（５２１）は、受信した無線ＩＰ電話端末（５１５）の第２の端末情報であるＳＩＰ−ＵＲＩから、現状の無線ＩＰ電話端末（５１５）の第１の端末情報であるＩＰアドレスを検索する。呼制御サーバ（５２１）は、検索した第１の端末情報であるＩＰアドレスを、位置情報通知サーバ（５２２）に送信する（ステップ：Ｓ８２−２［図９］）。
【０１７５】
位置情報通知サーバ（５２２）は、位置情報管理サーバ（５１２）の管理するネットワークアドレスと、位置情報管理サーバ（５１２）の第１のアドレス情報であるＩＰアドレスがあらかじめ対応付けされた形で登録されている。位置情報通知サーバ（５２２）は、受信した第１の端末情報であるＩＰアドレスから、対応するネットワークアドレスを検索し、検索したネットワークアドレスから位置情報管理サーバ（５１２）のＩＰアドレスを特定する。位置情報通知サーバ（５２２）は、特定した位置情報管理サーバ（５１２）に対して、第１の端末情報であるＩＰアドレスを含むメッセージにより通報者である無線ＩＰ電話端末（５１５）の位置情報を要求する。
【０１７６】
ステップ：Ｓ８３［図９］において、位置情報管理サーバ（５１２）は、上記方式により管理している無線ＩＰ電話端末（５１５）の第１の端末情報であるＩＰアドレスを検索し、要求された第１の端末情報であるＩＰアドレスに対応する無線ＩＰ電話端末（５１５）の第１の位置情報を、位置情報通知サーバ（５２２）に返信する。このとき、無線ＩＰ電話端末（５１５）がアクセスネットワーク（５０１）から移動して他のアクセスネットワークに存在しているので、無線ＩＰ電話端末（５１５）の第１の端末情報であるＩＰアドレスは、「ａａａ．ｂｂｂ．ｄｄｄ．ｙｙｙ」である。
【０１７７】
ステップ：Ｓ８４［図９］において、位置情報通知サーバ（５２２）は、通報者である無線ＩＰ電話端末（５１５）の第１の位置情報を取得し、この第１の位置情報を位置情報受信装置（５３２）に返信する。
【０１７８】
なお、上記ステップ：Ｓ８２［図９］、ステップ：Ｓ８２−２［図９］、ステップ：Ｓ８３［図９］、ステップ：Ｓ８４［図９］において、第２の端末情報であるＳＩＰ−ＵＲＩの記載を省略したが、各ステップにおいて第２の端末情報であるＳＩＰ−ＵＲＩが送信／受信されてもよい。
【０１７９】
なお、上記において、位置情報管理サーバ（５１２）が、ＮＡＴ機能などにより分けられた別々のネットワークに設置される場合、ＩＰ電話端末（５１１）は、ＶｏＩＰネットワーク（５０２）に対して送信／受信するときにグローバルＩＰアドレスを用いる。それゆえ、この場合は、ＩＰ電話端末（５１１）の第１の端末情報としてグローバルＩＰアドレスを用いても良い。
【０１８０】
（Ｄ−３）第４の実施形態の効果
第４の実施形態の発明の効果としては、ＩＰ電話端末の情報として、第３の端末情報あるいは位置情報管理サーバの管理するネットワークアドレスとしても、第１の実施形態の効果に加え、さらに端末が無線端末であるとき、端末が異なる無線サービスエリアに移動した場合でも、通話時点での端末のアドレス情報から位置情報管理装置を特定するので、現時点の端末の位置情報を取得することができる。
【符号の説明】
【０１８１】
１０１…アクセスネットワーク、１０２…ＶｏＩＰネットワーク、１０３…緊急通報受理機関（指令装置）、１１１…ＩＰ電話端末、１２１…呼制御サーバ、１２２…位置情報通知サーバ、１２３…加入者情報データベース、１２４…接続先情報データベース、１３１…指令台端末、１３２…位置情報受理装置、２０１…アクセスネットワーク、２０２…ＶｏＩＰネットワーク、２０３…緊急通報受理機関（指令装置）、２１１…ＩＰ電話端末、２１２…位置情報管理サーバ、２１３…第１の管理部、２１４…第１の処理部、２２１…呼制御サーバ、２２２…位置情報通知サーバ、２２３…加入者情報データベース、２２４…接続先情報データベース、２２５…第２の管理部、２２６…第２の処理部、２３１…指令台端末、２３２…位置情報受理装置。
【図１】
2010098771.tif 000003
【図２】
2010098771.tif 000004
【図３】
2010098771.tif 000005
【図４】
2010098771.tif 000006
【図５】
2010098771.tif 000007
【図６】
2010098771.tif 000008
【図７】
2010098771.tif 000009
【図８】
2010098771.tif 000010
【図９】
2010098771.tif 000011